(57)【要約】本開示はタイムスロットフォーマット指示方法、装置、設備、システム及び記憶媒体を提供し、無線通信技術分野に属する。本方法はターゲットチャネルがアイドル状態にあることをリッスンした場合に、ユーザ設備にタイムスロットフォーマット指示情報を送信することを含み、タイムスロットフォーマット指示情報はチャネル占有期間内のＮ個のタイムスロットにおけるシンボルのアップリンク・ダウンリンクフォーマットを指示するように構成されＮ個のタイムスロットにおける第１タイムスロット及び／又は最後のタイムスロットは部分タイムスロットであり、Ｎは１以上の正の整数であり、チャネル占有期間は基地局がターゲットチャネルを占有する期間であり、ターゲットチャネルは未許可周波数スペクトルに位置する。本開示実施例に係る方法はＮ個のタイムスロットの内の一部のタイムスロットによる基地局とＵＥとの間の正常な通信への悪影響を低減することができる。
2021533687.tif 000002
【特許請求の範囲】
【請求項１】
タイムスロットフォーマット指示方法であって、
ターゲットチャネルがアイドル状態にあることをリッスンした場合に、ユーザ設備（ＵＥ）にタイムスロットフォーマット指示情報を送信することを含み、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記チャネル占有期間は基地局が前記ターゲットチャネルを占有する期間であり、前記ターゲットチャネルは未許可周波数スペクトルに位置する、
ことを特徴とするタイムスロットフォーマット指示方法。
【請求項２】
前記ＵＥにマッピング関係を送信することを更に含み、
前記マッピング関係はタイムスロットフォーマット指示情報とタイムスロットフォーマット組み合わせとの間の関係を指示するように構成され、前記タイムスロットフォーマット組み合わせはＫ個のタイムスロットにおけるシンボルのアップリンク・ダウンリンクフォーマットを含み、前記ＫはＮ以下の正の整数である、
ことを特徴とする請求項１に記載の方法。
【請求項３】
前記タイムスロットフォーマット組み合わせはタイムスロットフォーマットテーブルにおけるＫ個のフォーマット識別子を含み、前記タイムスロットフォーマットテーブルには、フォーマット識別子とアップリンク・ダウンリンクフォーマットシーケンスとの対応関係が少なくとも１セット記憶され、前記アップリンク・ダウンリンクフォーマットシーケンスはＬ個のシンボルのアップリンク・ダウンリンクフォーマットを含み、前記Ｌは１４以下の正の整数である、
ことを特徴とする請求項２に記載の方法。
【請求項４】
前記ＵＥにマッピング関係を送信することは、
前記ＵＥに、前記マッピング関係が運ばれている無線リソース制御（ＲＲＣ）シグナリングを送信することを含む、
ことを特徴とする請求項２に記載の方法。
【請求項５】
前記Ｎは前記チャネル占有期間及びサブキャリア間隔に基づいて決定される、
ことを特徴とする請求項１に記載の方法。
【請求項６】
前記Ｎ個のタイムスロットにおける第１個のタイムスロット及び最後のタイムスロットは部分タイムスロットであり、
前記方法はさらに、
前記サブキャリア間隔に基づいて各タイムスロットのデュレーションを決定することと、
前記チャネル占有期間のデュレーションを前記タイムスロットのデュレーションで割って得られた商に１を加算して前記Ｎを得ることとを含む、
ことを特徴とする請求項５に記載の方法。
【請求項７】
前記タイムスロットフォーマット指示情報はＮ個の第１タイムスロットフォーマット指示情報を含み、そのうち、第ｉ番目の第１タイムスロットフォーマット指示情報は前記Ｎ個のタイムスロットにおける第ｉ個乃至第Ｎ個のタイムスロットにおけるシンボルのアップリンク・ダウンリンクフォーマットを指示するように構成され、前記ｉは前記Ｎ以下の正の整数である、
ことを特徴とする請求項１に記載の方法。
【請求項８】
前記第ｉ番目の第１タイムスロットフォーマット指示情報は第１タイムスロットフォーマット組み合わせを指示するように構成され、前記第１タイムスロットフォーマット組み合わせはＮ−ｉ＋１個のタイムスロットにおけるシンボルのアップリンク・ダウンリンクフォーマットを含む、
ことを特徴とする請求項７に記載の方法。
【請求項９】
前記第ｉ番目の第１タイムスロットフォーマット指示情報は第１タイムスロットフォーマット指示サブ情報とタイムスロット個数指示情報を含み、前記第１タイムスロットフォーマット指示サブ情報は第２タイムスロットフォーマット組み合わせを指示するように構成され、前記第２タイムスロットフォーマット組み合わせはＮ個のタイムスロットにおけるシンボルのアップリンク・ダウンリンクフォーマットを含み、前記タイムスロット個数指示情報は、前記Ｎ個のタイムスロットにおける第ｉ個乃至第Ｎ個のタイムスロットにおけるシンボルのアップリンク・ダウンリンクフォーマットが前記第２タイムスロットフォーマット組み合わせにおける後のＮ−ｉ＋１個のタイムスロットにおけるシンボルのアップリンク・ダウンリンクフォーマットと同じであることを指示するように構成される、
ことを特徴とする請求項７に記載の方法。
【請求項１０】
前記タイムスロットフォーマット指示情報は、Ｍ個の第２タイムスロットフォーマット指示情報を含み、そのうち、第ｊ番目の第２タイムスロットフォーマット指示情報は第ｊ番目の周期内のＰ個のタイムスロットにおけるシンボルのアップリンク・ダウンリンクフォーマットを指示するように構成され、前記ｊは前記Ｍ以下の正の整数であり、且つ前記Ｍに前記Ｐを乗算して得られた乗算値は前記Ｎ以下である、
ことを特徴とする請求項１に記載の方法。
【請求項１１】
前記第２タイムスロットフォーマット指示情報は第３タイムスロットフォーマット組み合わせを指示するように構成され、前記第３タイムスロットフォーマット組み合わせはＰ個のタイムスロットにおけるシンボルのアップリンク・ダウンリンクフォーマットを含む、
ことを特徴とする請求項１に記載の方法。
【請求項１２】
前記Ｎは予め設定された閾値より大きく、
前記タイムスロットフォーマット指示情報は少なくとも２個の第３タイムスロットフォーマット指示情報を含み、前記第３タイムスロットフォーマット指示情報は前記チャネル占有期間の一つのセグメント期間内のＱ個のタイムスロットにおけるシンボルのアップリンク・ダウンリンクフォーマットを指示するように構成され、前記Ｑは前記予め設定された閾値以下の正の整数である、
ことを特徴とする請求項１に記載の方法。
【請求項１３】
前記ユーザ設備ＵＥにタイムスロットフォーマット指示情報を送信することは、
前記ＵＥに、前記スロットフォーマット指示情報が運ばれているダウンリンク制御情報（ＤＣＩ）シグナリングを送信することを含む、
ことを特徴とする請求項１から１２のいずれか１項に記載の方法。
【請求項１４】
前記ＤＣＩシグナリングはグループ共用（ｇｒｏｕｐ  ｃｏｍｍｏｎ）のＤＣＩシグナリングであり、または、前記ＤＣＩシグナリングはユーザ設備専用（ＵＥ  ｓｐｅｃｉｆｉｃ）のＤＣＩシグナリングである、
ことを特徴とする請求項１３に記載の方法。
【請求項１５】
タイムスロットフォーマット指示方法であって、
基地局が送信するタイムスロットフォーマット指示情報を受信することを含み、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記タイムスロットフォーマット指示情報は、前記基地局が、ターゲットチャネルがアイドル状態にあることをリッスンした場合に送信するものであり、前記チャネル占有期間は基地局が前記ターゲットチャネルを占有する期間であり、前記ターゲットチャネルは未許可周波数スペクトルに位置する、
ことを特徴とするタイムスロットフォーマット指示方法。
【請求項１６】
前記基地局が送信するマッピング関係を受信することを更に含み、
前記マッピング関係はタイムスロットフォーマット指示情報とタイムスロットフォーマット組み合わせとの間の関係を指示するように構成され、前記タイムスロットフォーマット組み合わせはＫ個のタイムスロットにおけるシンボルのアップリンク・ダウンリンクフォーマットを含み、前記ＫはＮ以下の正の整数である、
ことを特徴とする請求項１５に記載の方法。
【請求項１７】
前記タイムスロットフォーマット組み合わせはタイムスロットフォーマットテーブルにおけるＫ個のフォーマット識別子を含み、前記タイムスロットフォーマットテーブルには、フォーマット識別子とアップリンク・ダウンリンクフォーマットシーケンスとの対応関係が少なくとも１セット記憶され、前記アップリンク・ダウンリンクフォーマットシーケンスはＬ個のシンボルのアップリンク・ダウンリンクフォーマットを含み、前記Ｌは１４以下の正の整数である、
ことを特徴とする請求項１６に記載の方法。
【請求項１８】
前記基地局が送信するマッピング関係を受信することは、
前記基地局が送信する、前記マッピング関係が運ばれている無線リソース制御（ＲＲＣ）シグナリングを受信することを含む、
ことを特徴とする請求項１６に記載の方法。
【請求項１９】
前記Ｎは前記チャネル占有期間及びサブキャリア間隔に基づいて決定される、
ことを特徴とする請求項１５に記載の方法。
【請求項２０】
前記タイムスロットフォーマット指示情報はＮ個の第１タイムスロットフォーマット指示情報を含み、そのうち、第ｉ番目の第１タイムスロットフォーマット指示情報は前記Ｎ個のタイムスロットにおける第ｉ個乃至第Ｎ個のタイムスロットにおけるシンボルのアップリンク・ダウンリンクフォーマットを指示するように構成され、前記ｉは前記Ｎ以下の正の整数である、
ことを特徴とする請求項１５に記載の方法。
【請求項２１】
前記第ｉ番目の第１タイムスロットフォーマット指示情報は第１タイムスロットフォーマット組み合わせを指示するように構成され、前記第１タイムスロットフォーマット組み合わせはＮ−ｉ＋１個のタイムスロットにおけるシンボルのアップリンク・ダウンリンクフォーマットを含む、
ことを特徴とする請求項２０に記載の方法。
【請求項２２】
前記第ｉ番目の第１タイムスロットフォーマット指示情報は第１タイムスロットフォーマット指示サブ情報とタイムスロット個数指示情報を含み、前記第１タイムスロットフォーマット指示サブ情報は第２タイムスロットフォーマット組み合わせを指示するように構成され、前記第２タイムスロットフォーマット組み合わせはＮ個のタイムスロットにおけるシンボルのアップリンク・ダウンリンクフォーマットを含み、前記タイムスロット個数指示情報は、前記Ｎ個のタイムスロットにおける第ｉ個乃至第Ｎ個のタイムスロットにおけるシンボルのアップリンク・ダウンリンクフォーマットが前記第２タイムスロットフォーマット組み合わせにおける後のＮ−ｉ＋１個のタイムスロットにおけるシンボルのアップリンク・ダウンリンクフォーマットと同じであることを指示するように構成される、
ことを特徴とする請求項２０に記載の方法。
【請求項２３】
前記タイムスロットフォーマット指示情報はＭ個の第２タイムスロットフォーマット指示情報を含み、そのうち、第ｊ番目の第２タイムスロットフォーマット指示情報は第ｊ番目の周期内のＰ個のタイムスロットにおけるシンボルのアップリンク・ダウンリンクフォーマットを指示するように構成され、前記ｊは前記Ｍ以下の正の整数であり、且つ前記Ｍに前記Ｐを乗算して得られた乗算値は前記Ｎ以下である、
ことを特徴とする請求項１５に記載の方法。
【請求項２４】
前記第２タイムスロットフォーマット指示情報は第３タイムスロットフォーマット組み合わせを指示するように構成され、前記第３タイムスロットフォーマット組み合わせはＰ個のタイムスロットにおけるシンボルのアップリンク・ダウンリンクフォーマットを含む、
ことを特徴とする請求項２３に記載の方法。
【請求項２５】
前記Ｎは予め設定された閾値より大きく、
前記タイムスロットフォーマット指示情報は少なくとも２個の第３タイムスロットフォーマット指示情報を含み、前記第３タイムスロットフォーマット指示情報は前記チャネル占有期間の一つのセグメント期間内のＱ個のタイムスロットにおけるシンボルのアップリンク・ダウンリンクフォーマットを指示するように構成され、前記Ｑは前記予め設定された閾値以下の正の整数である、
ことを特徴とする請求項１５に記載の方法。
【請求項２６】
前記基地局が送信するタイムスロットフォーマット指示情報を受信することは、
前記基地局が送信する、前記スロットフォーマット指示情報が運ばれているダウンリンク制御情報（ＤＣＩ）シグナリングを受信することを含む、
ことを特徴とする請求項１５から２５のいずれか１項に記載の方法。
【請求項２７】
前記ＤＣＩシグナリングはグループ共用（ｇｒｏｕｐ  ｃｏｍｍｏｎ）のＤＣＩシグナリングであり、または、前記ＤＣＩシグナリングはユーザ設備専用（ＵＥ  ｓｐｅｃｉｆｉｃ）のＤＣＩシグナリングである、
ことを特徴とする請求項２６に記載の方法。
【請求項２８】
タイムスロットフォーマット指示装置であって、
ターゲットチャネルがアイドル状態にあることをリッスンした場合に、ユーザ設備（ＵＥ）にタイムスロットフォーマット指示情報を送信するように構成される送信モジュールを含み、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記チャネル占有期間は基地局が前記ターゲットチャネルを占有する期間であり、前記ターゲットチャネルは未許可周波数スペクトルに位置する、
ことを特徴とするタイムスロットフォーマット指示装置。
【請求項２９】
タイムスロットフォーマット指示装置であって、
基地局が送信するタイムスロットフォーマット指示情報を受信するように構成される受信モジュールを含み、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記タイムスロットフォーマット指示情報は、前記基地局が、ターゲットチャネルがアイドル状態にあることをリッスンした場合に送信するものであり、前記チャネル占有期間は基地局が前記ターゲットチャネルを占有する期間であり、前記ターゲットチャネルは未許可周波数スペクトルに位置する、
ことを特徴とするタイムスロットフォーマット指示装置。
【請求項３０】
プロセッサと、
プロセッサ実行可能な命令を記憶するメモリと、を含み、
前記プロセッサは、
ターゲットチャネルがアイドル状態にあることをリッスンした場合、ユーザ設備（ＵＥ）にタイムスロットフォーマット指示情報を送信するように構成され、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記チャネル占有期間は基地局が前記ターゲットチャネルを占有する期間であり、前記ターゲットチャネルは未許可周波数スペクトルに位置する、
ことを特徴とする基地局。
【請求項３１】
プロセッサと、
プロセッサ実行可能な命令を記憶するメモリと、を含み、
前記プロセッサは、
基地局が送信するタイムスロットフォーマット指示情報を受信するように構成され、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記タイムスロットフォーマット指示情報は、前記基地局が、ターゲットチャネルがアイドル状態にあることをリッスンした場合に送信するものであり、前記チャネル占有期間は基地局が前記ターゲットチャネルを占有する期間であり、前記ターゲットチャネルは未許可周波数スペクトルに位置する、
ことを特徴とするユーザ設備。
【請求項３２】
請求項２８に記載のスロットフォーマット指示装置及び請求項２９に記載のスロットフォーマット指示装置を含み、又は、
請求項３０に記載の基地局及び請求項３１に記載のユーザ設備を含む、
ことを特徴とするスロットフォーマット指示システム。
【請求項３３】
コンピュータプログラムが記憶されており、記憶されている前記コンピュータプログラムが処理モジュールにより実行される時に、請求項１から１４のいずれか１項に記載のタイムスロットフォーマット指示方法を実現することができ、又は、記憶されている前記コンピュータプログラムが処理モジュールにより実行される時に、請求項１５から２７のいずれか１項に記載のタイムスロットフォーマット指示方法を実現することができる、
ことを特徴とするコンピュータ読み取り可能な記憶媒体。
【発明の詳細な説明】
【技術分野】
【０００１】
本開示は無線通信技術分野に関し、特にタイムスロットフォーマット指示方法、装置、設備、システム及び記憶媒体に関する。
【背景技術】
【０００２】
無線通信技術の発展に伴い、ますます多くの通信システムは未許可周波数スペクトル上のチャネルを介して通信データの伝送を行うことができる。未許可周波数スペクトルに複数の通信システムが働く可能であるため、複数の通信システム同士の公平性を考慮し、未許可周波数スペクトル上の基地局の通信は一般的にリッスン・ビフォー・トーク（英語。Ｌｉｓｔｅｎ  Ｂｅｆｏｒｅ  Ｔａｌｋ。略称。ＬＢＴ）メカニズムが採用され、すなわち、基地局は通信データを送信する前に、まず未許可周波数スペクトル上のチャネルをリッスンし、チャネルがアイドルとなることをリッスンした時に、当該未許可周波数スペクトル上のチャネルを占有して通信データを送信することができる。
【０００３】
実際の応用では、基地局がターゲットチャネルを占有し始める時刻は完全タイムスロットの中間位置に位置する可能性が高く、すなわち、基地局が未許可周波数スペクトル上のチャネルを占有する時間帯内に部分タイムスロット（英語。ｐａｒｔｉａｌ  ｓｌｏｔ）が存在する可能性が高いということである。部分タイムスロットとは、完全タイムスロットに対する概念であり、一つの完全タイムスロットには１４個のシンボル（英語：ｓｙｍｂｏｌ）が含まれるが、部分タイムスロットには１４個未満のシンボルが含まれる。
【０００４】
部分タイムスロットは基地局とユーザ設備（英語：Ｕｓｅｒ  Ｅｑｕｉｐｍｅｎｔ。略称：ＵＥ）との間の正常な通信に対して悪影響を与える場合があるため、現在、部分タイムスロットによる基地局とＵＥとの間の正常な通信への悪影響を低減する方法が求められている。
【発明の概要】
【発明が解決しようとする課題】
【０００５】
本開示の実施例は、一部のタイムスロットによる基地局とＵＥとの間の正常な通信への悪影響を低減することができるタイムスロットフォーマット指示方法、装置、設備、システム及び記憶媒体を提供する。
【課題を解決するための手段】
【０００６】
本開示の実施例の第１方面によれば、タイムスロットフォーマット指示方法を提供し、当該タイムスロットフォーマット指示方法は、
ターゲットチャネルがアイドル状態にあることをリッスンした場合に、ユーザ設備（ＵＥ）にタイムスロットフォーマット指示情報を送信することを含み、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記チャネル占有期間は基地局が前記ターゲットチャネルを占有する期間であり、前記ターゲットチャネルは未許可周波数スペクトルに位置する。
【０００７】
本開示の実施例の第２方面によれば、タイムスロットフォーマット指示方法を提供し、当該タイムスロットフォーマット指示方法は、
基地局が送信するタイムスロットフォーマット指示情報を受信することを含み、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記タイムスロットフォーマット指示情報は、前記基地局が、ターゲットチャネルがアイドル状態にあることをリッスンした場合に送信するものであり、前記チャネル占有期間は基地局が前記ターゲットチャネルを占有する期間であり、前記ターゲットチャネルは未許可周波数スペクトルに位置する。
【０００８】
本開示の実施例の第３方面によれば、タイムスロットフォーマット指示装置を提供し、当該タイムスロットフォーマット指示装置は、
ターゲットチャネルがアイドル状態にあることをリッスンした場合に、ユーザ設備（ＵＥ）にタイムスロットフォーマット指示情報を送信するように構成される送信モジュールを含み、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記チャネル占有期間は基地局が前記ターゲットチャネルを占有する期間であり、前記ターゲットチャネルは未許可周波数スペクトルに位置する。
【０００９】
本開示の実施例の第４方面によれば、タイムスロットフォーマット指示装置を提供し、当該タイムスロットフォーマット指示装置は、
基地局が送信するタイムスロットフォーマット指示情報を受信するように構成される受信モジュールを含み、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記タイムスロットフォーマット指示情報は、前記基地局が、ターゲットチャネルがアイドル状態にあることをリッスンした場合に送信するものであり、前記チャネル占有期間は基地局が前記ターゲットチャネルを占有する期間であり、前記ターゲットチャネルは未許可周波数スペクトルに位置する。
【００１０】
本開示の実施例の第５方面によれば、基地局を提供し、当該基地局は、
プロセッサと、
プロセッサ実行可能な命令を記憶するメモリと、を含み、
前記プロセッサは、
ターゲットチャネルがアイドル状態にあることをリッスンした場合、ユーザ設備（ＵＥ）にタイムスロットフォーマット指示情報を送信するように構成され、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記チャネル占有期間は基地局が前記ターゲットチャネルを占有する期間であり、前記ターゲットチャネルは未許可周波数スペクトルに位置する。
【００１１】
本開示の実施例の第６方面によれば、ユーザ設備を提供し、当該ユーザ設備は、
プロセッサと、
プロセッサ実行可能な命令を記憶するメモリと、を含み、
前記プロセッサは、
基地局が送信するタイムスロットフォーマット指示情報を受信するように構成され、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記タイムスロットフォーマット指示情報は、前記基地局が、ターゲットチャネルがアイドル状態にあることをリッスンした場合に送信するものであり、前記チャネル占有期間は基地局が前記ターゲットチャネルを占有する期間であり、前記ターゲットチャネルは未許可周波数スペクトルに位置する。
本開示の実施例の第７方面によれば、スロットフォーマット指示システムを提供し、当該スロットフォーマット指示システムは、上記の第３方面のいずれかに記載のスロットフォーマット指示装置及び上記の第４方面のいずれかに記載のスロットフォーマット指示装置を含み、又は、上記の第５方面のいずれかに記載のスロットフォーマット指示装置及び上記の第６方面のいずれかに記載のスロットフォーマット指示装置を含む。
【００１２】
本開示の実施例の第８方面によれば、コンピュータ読み取り可能な記憶媒体を提供し、当該コンピュータ読み取り可能な記憶媒体は、コンピュータプログラムが記憶されており、記憶されている前記コンピュータプログラムが処理モジュールにより実行される時に、上記の第１方面のいずれかに記載のタイムスロットフォーマット指示方法を実現することができ、又は、記憶されている前記コンピュータプログラムが処理モジュールにより実行される時に、上記の第２方面のいずれかに記載のタイムスロットフォーマット指示方法を実現することができる。
【発明の効果】
【００１３】
本開示の実施例に係る技術的手段は、少なくとも以下の利点がある。
【００１４】
未許可周波数スペクトルに位置するターゲットチャネルがアイドル状態にあることをリッスンした場合に、ユーザ設備ＵＥにタイムスロットフォーマット指示情報を送信し、ここで、当該タイムスロットフォーマット指示情報はチャネル占有期間内のＮ個のタイムスロットにおけるシンボルのアップリンク・ダウンリンクフォーマットを指示するように構成され、且つ当該Ｎ個のタイムスロットにおける第１個のタイムスロット及び／又は最後のタイムスロットは部分タイムスロットであることにより、ＵＥはタイムスロットフォーマット指示情報による指示に基づいて当該Ｎ個のタイムスロットにおけるシンボルのアップリンク・ダウンリンクフォーマットを取得することができ、それによりＵＥは基地局の許可を要求しなくても、タイムスロットにおけるアップリンクフォーマットのシンボルで基地局に通信データを送信することができ、同時にＵＥがタイムスロットのアップリンクフォーマットのシンボルにおいてＰＤＣＣＨのブラインド検出を行うことを回避することができる。このように、ＵＥの消費電力及びアップリンク送信遅延を低減することができ、そのためＮ個のタイムスロットにおける部分タイムスロットによる基地局とＵＥとの間の通常通信への悪影響を低減することができる。
【００１５】
なお、以上の一般的な説明及び以下の詳細な説明は単なる例示及び説明であり、本開示を制限するものではない。
【図面の簡単な説明】
【００１６】
本明細書に組み込まれ、かつ本明細書の一部を構成する添付の図面は、本開示と一致する実施例を示し、明細書と共に本開示の原理を説明する役割を果たす。
【図１】基地局が未許可周波数スペクトルにおけるチャネルを占有する期間内のタイムスロットの概略図である。
【図２】例示的な実施例に係る実施環境の概略図である。
【図３】例示的な実施例に係るタイムスロットフォーマット指示方法のフローチャートである。
【図４】例示的な実施例に係るタイムスロットフォーマット指示方法のフローチャートである。
【図５】例示的な実施例に係るタイムスロットフォーマット指示方法のフローチャートである。
【図６】例示的な実施例に係るタイムスロットフォーマット指示装置のブロック図である。
【図７】例示的な実施例に係るタイムスロットフォーマット指示装置のブロック図である。
【図８】例示的な実施例に係るタイムスロットフォーマット指示装置のブロック図である。
【図９】例示的な実施例に係るタイムスロットフォーマット指示装置のブロック図である。
【図１０】例示的な実施例に係るタイムスロットフォーマット指示システムのブロック図である。
【発明を実施するための形態】
【００１７】
本開示の目的、技術的手段及び利点をより明確にするために、以下は図面を参照しながら本開示の実施形態をさらに詳しく説明する。
【００１８】
ここで、例示的な実施例を詳しく説明し、その例を図面に示す。以下の説明に係る図面では、他に示されない限り、異なる図面における同じ符号は、同じまたは類似の要素を示す。以下の例示的な実施例に記載される実施形態は、本開示と一致する全ての実施形態を表すものではない。むしろ、それらは単なる、添付の特許請求の範囲に詳述される本開示のいくつかの態様と一致する装置や方法の例である。
【００１９】
５ＧＮＲ（英語：Ｎｅｗ  Ｒａｄｉｏ  Ａｃｃｅｓｓ  Ｔｅｃｈｎｏｌｏｇｙ）通信システムでは、一つの完全タイムスロットが１４個のシンボル（英語：ｓｙｍｂｏｌ）を含み、完全タイムスロットフォーマットとは当該完全タイムスロットに含まれる各シンボルのアップリンク・ダウンリンクフォーマットを指す。
【００２０】
ここで、シンボルのアップリンク・ダウンリンクフォーマットはシンボルにおけるデータの伝送方向を表すものであり、５ＧＮＲ通信システムにおいて、シンボルのアップリンク・ダウンリンクフォーマットは、アップリンクフォーマット（通常は文字Ｕで示す）と、ダウンリンクフォーマット（通常は文字Ｄで示す）と、不確定フォーマット（通常は文字Ｘで示す）との３種類に分ける。
【００２１】
アップリンクフォーマットのシンボルでは、データの伝送方向はアップリンク方向である。ユーザ設備（英語：Ｕｓｅｒ  Ｅｑｕｉｐｍｅｎｔ。略称：ＵＥ）は、アップリンクフォーマットのシンボルで通信データを基地局に送信することができる。ダウンリンクフォーマットのシンボルでは、データの伝送方向はダウンリンク方向である。ＵＥはダウンリンクフォーマットのシンボルで基地局が送信した通信データを受信することができる。不確定フォーマットシンボルでは、ＵＥは基地局による更なる指示により当該シンボルにおけるデータの伝送方向を確定する必要があり、すなわち、ＵＥは基地局の更なる指示により当該シンボルにおいてＵＥが基地局に通信データを送信できるか否かを確定する必要があり、又は、ＵＥは基地局の更なる指示により当該シンボルにおいてＵＥが基地局から送信された通信データを受信できるか否かを確定する必要がある。
【００２２】
現在、５ＧＮＲ通信システムでは、一つの完全タイムスロットのフォーマットのテーブルが定義され、テーブルにおいて全部で２５６種類のフォーマットを有し、そのうち最初の５６種類の完全タイムスロットのフォーマットは既に明確に与えられ、後の２００種類のフォーマットは後続の決定のために保留しておく。この５６種類の完全タイムスロットのフォーマットを表１に示す。
【００２３】
【表１−１】
2021533687.tif 000003
【００２４】
【表１−２】
2021533687.tif 000004
【００２５】
表１に示すように、タイムスロットフォーマット番号が０である完全タイムスロットフォーマットにおいて、各シンボルのアップリンク・ダウンリンクフォーマットは、いずれもダウンリンクフォーマットである。タイムスロットフォーマット番号が１である完全タイムスロットフォーマットにおいて、各シンボルのアップリンク・ダウンリンクフォーマットはいずれもアップリンクフォーマットである。タイムスロットフォーマット番号が３である完全タイムスロットフォーマットにおいて、前の１３個のシンボルのアップリンク・ダウンリンクフォーマットはいずれもダウンリンクフォーマットであり、最後のシンボルのアップリンク・ダウンリンクフォーマットは不確定フォーマットである。
【００２６】
５ＧＮＲ通信システムにおいて、基地局は８ビット長のデータを用いてＵＥに完全タイムスロットのフォーマットを指示することができる。このように、ＵＥは基地局の指示に基づいて完全タイムスロットにおける各シンボルのアップリンク・ダウンリンクフォーマットを確定することができ、完全タイムスロットにおける各シンボルのアップリンク・ダウンリンクフォーマットを確定した後、ＵＥはダウンリンクフォーマットのシンボルにおいて物理ダウンリンク制御チャネル（英語：Ｐｈｙｓｉｃａｌ  Ｄｏｗｎｌｉｎｋ  Ｃｏｎｔｒｏｌ  Ｃｈａｎｎｅｌ。略称。ＰＤＣＣＨ）についてブラインド検出を行い、基地局がＰＤＣＣＨを介して当該ＵＥに送信したダウンリンク制御情報（英語：Ｄｏｗｎｌｉｎｋ  Ｃｏｎｔｒｏｌ  Ｉｎｆｏｒｍａｔｉｏｎ。略称：ＤＣＩ）シグナリングを受信し、そして当該ＤＣＩシグナリングのスケジューリングに基づいて基地局が送信する通信データを受信し、同時に、ＵＥは基地局の許可を要求しなくても、アップリンクフォーマットのシンボルで基地局に通信データを送信することができる。
【００２７】
完全タイムスロットにおける各シンボルのアップリンク・ダウンリンクフォーマットを確定した後、ＵＥはアップリンクフォーマットのシンボルにおいてＰＤＣＣＨについてブラインド検出をする必要がなく、同時に、ＵＥは基地局の許可を要求しなくても、アップリンクフォーマットのシンボルで基地局に通信データを送信することができるため、基地局がＵＥに完全タイムスロットのフォーマットを指示することによって、ＵＥの消費電力を低減することができると共に、ＵＥのアップリンク送信遅延を低減することができる。
【００２８】
実際の応用において、５ＧＮＲ通信システムは無許可周波数スペクトルで働くことができる。通常、未許可周波数スペクトルで働く通信システムにおいて、基地局の通信では一般的にリッスン・ビフォー・トーク（英語：Ｌｉｓｔｅｎ  Ｂｅｆｏｒｅ  Ｔａｌｋ。略称：ＬＢＴ）メカニズムが採用され、すなわち、基地局は通信データを送信する前にまず未許可周波数スペクトル上のチャネル（以下、ターゲットチャネルと略称する）をリッスンし、ターゲットチャネルがアイドルにあることをリッスンした時に当該ターゲットチャネルを占有して通信データを送信することができ、そして、基地局が当該ターゲットチャネルを占有する期間は、最長チャネル占有時間（英語：Ｍａｘｉｍｕｍ  Ｃｈａｎｎｅｌ  Ｏｃｃｕｐａｎｃｙ  Ｔｉｍｅ。略称：ＭＣＯＴ）を超えてはならない。ターゲットチャネルを占有する期間がＭＣＯＴに達する場合、基地局がＬＢＴを改めて行ってチャネルを競争する。
【００２９】
実際の応用では、基地局がターゲットチャネルを占有し始める時刻は完全タイムスロットの中間位置に位置する可能性が高く、同時に、基地局が当該ターゲットチャネルを占有し終える時刻は完全タイムスロットの中間位置に位置する可能性も高い。
【００３０】
例えば、図１に示すように、基地局がターゲットチャネルを占有し始める時刻は完全タイムスロット０の中間位置にあり、同時に、基地局が当該ターゲットチャネルを占有し終わる時刻は完全タイムスロット４の中間位置にある。
【００３１】
基地局によるターゲットチャネルの占有の開始時刻も終了時刻も一つの完全タイムスロットの中間位置に位置する可能性があるため、基地局がターゲットチャネルを占有してい期間内に部分タイムスロット（英語：ｐａｒｔｉａｌｓｌｏｔ）が存在する可能性がある。部分タイムスロットとは完全タイムスロットに対する概念である。５ＧＮＲ通信システムにおいて、部分タイムスロットに含まれるシンボルの個数は１４個未満である。
【００３２】
例えば、図１に示すように、基地局がターゲットチャネルを占有し始める時刻は完全タイムスロット０の中間位置に位置し、同時に、基地局が当該ターゲットチャネルを占有し終わる時刻は完全タイムスロット４の中間位置に位置するため、基地局がターゲットチャネルを占有する時間帯内に部分タイムスロット１と部分タイムスロット２が存在する。
【００３３】
現在の通信規格では、部分タイムスロットのフォーマットが定義されておらず、また、現在の通信規格では、部分タイムスロットの指示方式が規定されていない。そのため、チャネル占有期間内のＮ個のタイムスロットにおける第１タイムスロット及び／又は最後のタイムスロットが部分タイムスロットである場合、ＵＥは基地局の指示に基づいて当該Ｎ個のタイムスロットにおけるシンボルのアップリンク・ダウンリンクフォーマットを確定することができない。そのため、ＵＥは当該Ｎ個のタイムスロットの各シンボルにおいてＰＤＣＣＨのブラインド検出を行う必要があり、そして、当該Ｎ個のタイムスロットにおいて基地局に通信データを送信する場合、ＵＥは基地局の許可を要求し且つ基地局の指示に基づいて通信データの送信をするようにしなければならなく、これによって基地局とＵＥとの間の正常な通信に悪影響を与えることは明らかである。
【００３４】
本開示の実施例は、Ｎ個のタイムスロットにおける部分タイムスロットによる、基地局とＵＥとの間の正常な通信への悪影響を低減可能なタイムスロットフォーマット指示方法を提供する。
【００３５】
当該スロットフォーマット指示方法において、基地局はターゲットチャネルがアイドル状態にあることをリッスンした場合に、ＵＥにスロットフォーマット指示情報を送信することができる。ここで、当該タイムスロットフォーマット指示情報はチャネル占有期間内のＮ個のタイムスロットにおけるシンボルのアップリンク・ダウンリンクフォーマットを指示するように構成され、且つ当該Ｎ個のタイムスロットにおける第１タイムスロット及び／又は最後のタイムスロットは部分タイムスロットである。これにより、ＵＥはタイムスロットフォーマット指示情報の指示に基づいて当該Ｎ個のタイムスロットにおけるシンボルのアップリンク・ダウンリンクフォーマットを取得することができ、それによりＵＥは基地局の許可を要求しなくても、タイムスロットにおけるアップリンクフォーマットのシンボルにより基地局に通信データを送信することができ、同時にＵＥはタイムスロットのアップリンクフォーマットのシンボルにおいてＰＤＣＣＨのブラインド検出をすることを回避することができる。このように、ＵＥの消費電力及びアップリンク送信遅延を低減することができる。そのため、Ｎ個のタイムスロットにおける部分タイムスロットによる、基地局とＵＥとの間の通常通信への悪影響を低減することができる。
【００３６】
次に、本開示の実施例に係るタイムスロットフォーマット指示方法の実施環境について説明する。
【００３７】
図２は本開示の実施例に係るタイムスロットフォーマット指示方法の実施環境の概略図である。図２に示すように、当該実施環境は基地局１０及びＵＥ２０を含む。基地局１０とＵＥ２０は通信ネットワークで接続可能である。ＵＥ２０は基地局１０がサービスするセルの中のいずれかのＵＥである。
【００３８】
ここで、上記通信ネットワークは５ＧＮＲ通信ネットワークであってもよく、又は、他の５ＧＮＲ通信ネットワークに類似する通信ネットワークであってもよい。
【００３９】
図３は例示的な実施例に係るタイムスロットフォーマット指示方法のフローチャートである。当該タイムスロットフォーマット指示方法は図２に示す基地局１０に用いることができる。図３に示すように、当該タイムスロットフォーマット指示方法は以下のステップを含む。
【００４０】
ステップ３０１において、ターゲットチャネルがアイドル状態にあることをリッスンした場合に、基地局はＵＥにタイムスロットフォーマット指示情報を送信する。
【００４１】
ここで、当該タイムスロットフォーマット指示情報はチャネル占有期間内のＮ個のタイムスロットにおけるシンボルのアップリンク・ダウンリンクフォーマットを指示するように構成され、Ｎ個のタイムスロットにおける第１タイムスロット及び／又は最後のタイムスロットは部分タイムスロットであり、Ｎは１以上の正の整数であり、当該チャネル占有期間は基地局がターゲットチャネルを占有する期間であり、当該ターゲットチャネルは未許可周波数スペクトルに位置する。
【００４２】
上記により、本開示の実施例に係るタイムスロットフォーマットの指示方法では、未許可周波数スペクトルに位置するターゲットチャネルがアイドル状態にあることをリッスンした場合に、ユーザ設備ＵＥにタイムスロットフォーマットの指示情報を送信し、ここで、当該タイムスロットフォーマットの指示情報はチャネル占有期間内のＮ個のタイムスロットにおけるシンボルのアップリンク・ダウンリンクフォーマットを指示するように構成され、且つ当該Ｎ個のタイムスロットにおける第１タイムスロット及び／又は最後のタイムスロットは部分タイムスロットであることによって、ＵＥはタイムスロットフォーマット指示情報の指示に基づいて当該Ｎ個のタイムスロットにおけるシンボルのアップリンク・ダウンリンクフォーマットを取得することができ、それによりＵＥは基地局の許可を要求しなくてもタイムスロットにおけるアップリンクフォーマットのシンボルにより基地局に通信データを送信することができ、同時に、ＵＥはタイムスロットのアップリンクフォーマットのシンボルにおいてＰＤＣＣＨのブラインド検出を行うことを回避することができる。このように、ＵＥの消費電力及びアップリンク送信遅延を低減することができるため、Ｎ個のタイムスロットにおける部分タイムスロットによる、基地局とＵＥとの間の正常通信への悪影響を低減することができる。
【００４３】
図４は例示的な実施例に係るタイムスロットフォーマット指示方法のフローチャートである。当該タイムスロットフォーマット指示方法は図２に示すＵＥ２０に用いることができる。図４に示すように、当該タイムスロットフォーマット指示方法は以下のステップを含む。。
【００４４】
ステップ４０１において、ＵＥは基地局が送信するスロットフォーマット指示情報を受信する。
【００４５】
ここで、当該タイムスロットフォーマット指示情報はチャネル占有期間内のＮ個のタイムスロットにおけるシンボルのアップリンク・ダウンリンクフォーマットを指示するように構成され、Ｎ個のタイムスロットにおける第１タイムスロット及び／又は最後のタイムスロットは部分タイムスロットであり、Ｎは１以上の正の整数であり、当該タイムスロットフォーマット指示情報は、基地局が、ターゲットチャネルがアイドル状態にあることをリッスンした場合に送信するものであり、当該チャネル占有期間は基地局がターゲットチャネルを占有する期間であり、当該ターゲットチャネルは未許可周波数スペクトルに位置する。
【００４６】
上記により、本開示の実施例に係るタイムスロットフォーマットの指示方法では、基地局が、未許可周波数スペクトルに位置するターゲットチャネルがアイドル状態にあることをリッスンした場合に送信するタイムスロットフォーマットの指示情報を受信し、ここで、当該タイムスロットフォーマットの指示情報はチャネル占有期間内のＮ個のタイムスロットにおけるシンボルのアップリンク・ダウンリンクフォーマットを指示するように構成され、且つ当該Ｎ個のタイムスロットにおける第１タイムスロット及び／又は最後のタイムスロットは部分タイムスロットであることによって、ＵＥはタイムスロットフォーマット指示情報の指示に基づいて当該Ｎ個のタイムスロットにおけるシンボルのアップリンク・ダウンリンクフォーマットを取得することができ、それによりＵＥは基地局の許可を要求しなくてもタイムスロットにおけるアップリンクフォーマットのシンボルにより基地局に通信データを送信することができ、同時に、ＵＥはタイムスロットのアップリンクフォーマットのシンボルにおいてＰＤＣＣＨのブラインド検出を行うことを回避することができる。このように、ＵＥの消費電力及びアップリンク送信遅延を低減することができるため、Ｎ個のタイムスロットにおける部分タイムスロットによる、基地局とＵＥとの間の正常通信への悪影響を低減することができ。
【００４７】
図５は例示的な実施例に係るタイムスロットフォーマット指示方法のフローチャートである。当該タイムスロットフォーマット指示方法は図２に示す実施環境に用いることができる。図５に示すように、当該タイムスロットフォーマット指示方法は以下のステップを含む。
【００４８】
ステップ５０１において、基地局はＵＥにマッピング関係を送信する。
【００４９】
ここで、マッピング関係はタイムスロットフォーマット指示情報とタイムスロットフォーマット組み合わせとの関係を指示するように構成され、タイムスロットフォーマット組み合わせはＫ個のタイムスロットにおけるシンボルのアップリンク・ダウンリンクフォーマットを含み、ＫはＮ以下の正の整数である。
【００５０】
本実施例において、マッピング関係における各タイムスロットフォーマット指示情報は一つのタイムスロットフォーマット組み合わせに対応する。例えば、タイムスロットフォーマット指示情報１は、タイムスロットフォーマット組合せ１に対応し、タイムスロットフォーマット指示情報２は、タイムスロットフォーマット組合せ２に対応する。
【００５１】
本実施例におけるＮ及びＫに関しは、Ｎはチャネル占有期間内のタイムスロットの個数を表し、詳細はステップ５０４に記載され、ここで説明を省略する。Ｋは一つのタイムスロットフォーマット組み合わせに含まれるタイムスロットの個数を表し、各タイムスロットフォーマット組み合わせに含まれるタイムスロットの個数Ｋは同一であってもよく、この場合のマッピング関係におけるＫは固定値である。又は、各タイムスロットフォーマット組み合わせに含まれるタイムスロットの個数Ｋは同一ではないものであっても良く、この場合のマッピング関係におけるＫは固定値ではなく、本実施例では限定しない。
【００５２】
本開示の実施例において、当該タイムスロットフォーマット組み合わせはタイムスロットフォーマットテーブルにおけるＫ個のフォーマット識別子を含み、当該タイムスロットフォーマットテーブルにフォーマット識別子とアップリンク・ダウンリンクフォーマットシーケンスとの対応関係が少なくとも１セット記憶され、アップリンク・ダウンリンクフォーマットシーケンスはＬ個のシンボルのアップリンク・ダウンリンクフォーマットを含み、Ｌは１４以下の正の整数である。次に、タイムスロットフォーマットテーブルについて説明する。
【００５３】
基地局及びＵＥはいずれもタイムスロットフォーマットテーブルをメンテナンスすることができ、当該タイムスロットフォーマットテーブルは５ＧＮＲ通信システムにおいて予め設定されたものであってもよい。例えば、当該タイムスロットフォーマットテーブルは通信規格によって規定されたものであってもよく、又は、当該タイムスロットフォーマットテーブルは基地局が生成してＵＥに送信したものであってもよい。
【００５４】
タイムスロットフォーマットテーブルにフォーマット識別子とアップリンク・ダウンリンクフォーマットシーケンスとの対応関係が少なくとも１セット記憶され、ここで、各フォーマット識別子は一つのアップリンク・ダウンリンクフォーマットシーケンスに対応し、かつ各アップリンク・ダウンリンクフォーマットシーケンスは一つのタイムスロットにおけるシンボルのアップリンク・ダウンリンクフォーマットに対応する。よって、各フォーマット識別子は一つのタイムスロットにおけるシンボルのアップリンク・ダウンリンクフォーマットを表すことができる。
【００５５】
上記タイムスロットは完全タイムスロットであってもよく、部分タイムスロットであってもよい。例えば、当該部分タイムスロットは図１に示す部分タイムスロット１又は部分タイムスロット２であってもよい。上記から分かるように、タイムスロットフォーマットテーブルは表１に示す５６種類の完全タイムスロットフォーマット以外、部分タイムスロットフォーマットも含むことができる。本実施例では、複数の部分タイムスロットのフォーマットを設定し、かつ５６〜２５４の番号でこれらの部分タイムスロットのフォーマットのフォーマット識別子を識別するようにしても良く、５６〜２５４の番号が十分でない場合、２５６以降の番号でこれらの部分タイムスロットのフォーマットのフォーマット識別子を識別することができる。ここで、各部分タイムスロットのフォーマットのフォーマット識別子は一つの番号に対応する。
【００５６】
ここで、部分タイムスロットのフォーマットと完全タイムスロットのフォーマットとの差別として、部分タイムスロットのフォーマットに含まれるシンボルの個数Ｌは１４未満である一方、完全タイムスロットのフォーマットに含まれるシンボルの個数Ｌは１４となる。部分タイムスロットに含まれるシンボルの個数が２又は３又は４であると仮定すれば、当該タイムスロットフォーマットテーブルにおける部分タイムスロットのフォーマットは表２に示す。
【００５７】
【表２】
2021533687.tif 000005
【００５８】
表２に示すように、タイムスロットフォーマットテーブルにおけるアップリンク・ダウンリンクフォーマットシーケンスは２つのシンボルのアップリンク・ダウンリンクフォーマット、３つのシンボルのアップリンク・ダウンリンクフォーマット又は４つのシンボルのアップリンク・ダウンリンクフォーマットを含んでも良い。
【００５９】
タイムスロットフォーマット組み合わせ１に対応するＮ個のタイムスロットは順に部分タイムスロット１、完全タイムスロット１、完全タイムスロット２、完全タイムスロット３及び部分タイムスロット２を含み、且つ部分タイムスロット１のフォーマットのフォーマット識別子がａ１であり、完全フォーマット１のフォーマットのフォーマット識別子が１５であり、完全フォーマット２のフォーマットのフォーマット識別子が４であり、完全フォーマット３のフォーマットのフォーマット識別子が５４であり、部分タイムスロット２のフォーマットのフォーマット識別子はａ３であるので、タイムスロットフォーマット組み合わせ１はａ１、１５、４、５４、ａ３となる。タイムスロットフォーマット指示情報１をＩＤ１とし、タイムスロットフォーマット組み合わせ１をａ１、１５、４、５４、ａ３とすると、１つのマッピング関係がＩＤ１−｛ａ１、１５、４、５４、ａ３｝となる。
【００６０】
本開示の実施例において、基地局はＲＲＣシグナリングを介してＵＥに当該マッピング関係を送信することができる。すなわち、基地局はＵＥに、上記マッピング関係が運ばれているＲＲＣシグナリングを送信することができる。
【００６１】
ここで、基地局はターゲットチャネルを介してＵＥにＲＲＣシグナリングを送信しても良く、ターゲットチャネル以外の他のチャネルを介してＵＥにＲＲＣシグナリングを送信しても良く、本実施例では限定されない。
【００６２】
ここで、基地局はターゲットチャネルを占用する前に、ターゲットチャネルをリッスンし、ターゲットチャネルがアイドル状態にあることをリッスンした時に当該ターゲットチャネルを占用する。ターゲットチャネルがアイドル状態にあることは当該ターゲットチャネルが占有されていないことを意味する。それに対して、ターゲットチャネルが非アイドル状態にあることは当該ターゲットチャネルが占有されていることを意味する。
【００６３】
未許可周波数スペクトルと許可周波数スペクトルはキャリアアグリゲーション又は二重接続の方式を用いる場合、当該ＲＲＣシグナリングはＰＣｅｌｌ（Ｐｒｉｍａｒｙ  Ｃｅｌｌ、主サービングセル）又はＰＳ  ｃｅｌｌ（Ｐｒｉｍａｒｙ  Ｓｅｃｏｎｄａｒｙ  ｃｅｌｌ、主と補助サービングセル）において送信することができ、ＰＣｅｌｌ又はＰＳｃｅｌｌが許可周波数スペクトル上のセルである場合、チャネル検出をしなくても良く、すなわちＲＲＣシグナリングを送信するチャネルがアイドル状態にあるか否かをリッスンせずに、当該ＲＲＣシグナリングを直接送信する。ＰＣｅｌｌ又はＰＳｃｅｌｌが未許可周波数スペクトル上のセルである場合、チャネル検出をし、すなわちＲＲＣシグナリングを送信するチャネルがアイドル状態にあることをリッスンした時に当該ＲＲＣシグナリングを送信する。
【００６４】
ステップ５０２において、ＵＥは基地局が送信したマッピング関係を受信する。
【００６５】
本開示の実施例において、ＵＥはＲＲＣシグナリングにより当該マッピング関係を受信することができる。すなわち、ＵＥは基地局が送信した、上記マッピング関係が運ばれているＲＲＣシグナリングを受信する。
【００６６】
ステップ５０３において、基地局はターゲットチャネルがアイドル状態であるか否かをリッスンする。
【００６７】
上記のように、未許可周波数スペクトル上で働く通信システムにおいて、基地局は通信データを送信する前に未許可周波数スペクトル上のチャネル（すなわちターゲットチャネル）をリッスンし、ターゲットチャネルがアイドル状態にあることをリッスンした場合に当該ターゲットチャネルを占有して通信データを送信する。従って、本開示の実施例において、基地局は上記ステップ５０３のプロセスを実行する必要がある。
【００６８】
ステップ５０４において、ターゲットチャネルがアイドル状態にあることをリッスンした場合、基地局はＵＥにタイムスロットフォーマット指示情報を送信する。
【００６９】
ターゲットチャネルのアイドル状態がリッスンされた時、基地局は当該目的チャネルを占有し、且つ当該目的チャネルを介して通信データを伝送することができる。ここで、ＵＥの消費電力を低減し、ＵＥのアップリンク送信遅延を低減し、すなわち、Ｎ個のタイムスロットにおける部分タイムスロットによる、基地局とＵＥとの間の正常な通信への悪影響を低減するために、基地局は当該ターゲットチャネルを占有した後、ＵＥにタイムスロットフォーマット指示情報を送信する。
【００７０】
本発明の実施例において、基地局はＤＣＩシグナリングを介してＵＥに当該タイムスロットフォーマット指示情報を送信することができる。すなわち、基地局はターゲットチャネルがアイドル状態にあることをリッスンした時に、ＵＥに、上記スロットフォーマット指示情報が運ばれているＤＣＩシグナリングを送信することができる。ここで、当該ＤＣＩシグナリングはグループ共通（ｇｒｏｕｐ  ｃｏｍｍｏｎ）のＤＣＩシグナリングであり、又は、当該ＤＣＩシグナリングはユーザ設備専用（ＵＥ  ｓｐｅｃｉｆｉｃ）のＤＣＩシグナリングである。
【００７１】
ここで、基地局はターゲットチャネルを介してＵＥにＤＣＩシグナリングを送信しても良く、ターゲットチャネル以外の他のチャネルを介してＵＥにＤＣＩシグナリングを送信しても良く、本実施例では限定されない。
【００７２】
キャリアを跨ってスケジューリングする場合、当該ＤＣＩシグナリングは他のｃｅｌｌ（すなわち他のチャネル）上に送信することができ、且つ他のｃｅｌｌは未許可周波数スペクトル上のセルであってもよく、許可周波数スペクトル上のセルであってもよい。他のｃｅｌｌは許可周波数スペクトル上のセルである場合、チャネル検出をしなくても良く、すなわち送信されるＤＣＩシグナリングのチャネルがアイドル状態にあるか否かをリッスンせず、当該ＤＣＩシグナリングを直接送信する。他のｃｅｌｌが未許可周波数スペクトル上のセルである場合、チャネル検出をし、すなわち送信されるＤＣＩシグナリングのチャネルがアイドル状態にあることをリッスンした場合に当該ＤＣＩシグナリングを送信する。
本実施例において、基地局は毎回ＤＣＩシグナリングを送信する前にターゲットチャネルをリッスンすることができる。選択的に、ＤＣＩシグナリングを送信するタイムスロットとＲＲＣシグナリングを送信するタイムスロットが同一タイムスロットである場合、又は、ＤＣＩシグナリングを送信するタイムスロットとＲＲＣシグナリングを送信するタイムスロットが同一チャネルの占有期間内にある場合、基地局はＤＣＩシグナリングを送信する時にターゲットチャネルをリッスンしなくてもよく、この時のターゲットチャネルがアイドル状態にあることをデフォルトする。
【００７３】
なお、マッピング関係がＲＲＣシグナリングに運ばれ、タイムスロットフォーマット指示情報がＤＣＩシグナリングに運ばれている場合、ＲＲＣシグナリングの有効期間が長いため、基地局は当該有効期間内にターゲットチャネルを複数回占用すれば、基地局は当該ターゲットチャネルを一回目ではない場合に占用する場合、新たなＲＲＣシグナリングではなく新たなＤＣＩシグナリングを送信し、伝送リソースを節約する。ここでいうＲＲＣシグナリングの有効期間は通常２００ｍｓを超える。
【００７４】
選択的に、基地局はマッピング関係を更新する必要がある場合、ＲＲＣシグナリングが失効すると考えられ、次回ターゲットチャネルを占有する場合、新たなＲＲＣシグナリングを送信する。
【００７５】
本実施例におけるタイムスロットフォーマット指示情報はチャネル占有期間内のＮ個のタイムスロットにおけるシンボルのアップリンク・ダウンリンクフォーマットを指示するように構成され、Ｎ個のタイムスロットにおける第１タイムスロット及び／又は最後のタイムスロットは部分タイムスロットであり、Ｎは１以上の正の整数であり、当該チャネル占有期間は基地局がターゲットチャネルを占有する期間であり、当該ターゲットチャネルは未許可周波数スペクトルに位置する。
【００７６】
ここで、Ｎは前記チャネル占有期間及びサブキャリア間隔に基づいて決定され、以下Ｎの三種類の計算方式について説明する。
【００７７】
第１種の計算方式として、Ｎ個のタイムスロットにおける第１タイムスロットと最後のタイムスロットが部分タイムスロットである場合、基地局はサブキャリア間隔に基づいて各タイムスロットのデュレーションを決定し、チャネル占有期間のデュレーションをタイムスロットのデュレーションで割って得られた商に１を加算してＮを得る。
【００７８】
ここで、サブキャリア間隔と各タイムスロットのデュレーションとの間に比例関係が存在する。例えば、サブキャリア間隔が１５ＫＨｚの場合、タイムスロット当たりのデュレーションは１ｍｓである。サブキャリア間隔が３０ＫＨｚの場合、タイムスロット当たりのデュレーションは０．５ｍｓである。サブキャリア間隔が６０ＫＨｚである場合、タイムスロット当たりのデュレーションは０．２５ｍｓである等。このようにすると、基地局はサブキャリア間隔に基づいて各タイムスロットのデュレーションを確定することができる。
【００７９】
チャネル占有期間の長さは基地局が占有できる最大時間であってもよく、基地局がデータを伝送するために必要な時間であってもよく、本実施例では限定されない。例えば、チャネル占有期間の長さは１０ｍｓ、８ｍｓ、２ｍｓ、３ｍｓであってもよい。
【００８０】
チャネル占有期間のデュレーションが１０ｍｓである場合、各タイムスロットのデュレーションが１ｍｓであると仮定し、チャネル占有期間があるタイムスロットの中間から開始することも考慮すると、１０ｍｓは２つの部分タイムスロットと９つの完全タイムスロットを占有し、この時のＮは１１である。各タイムスロットのデュレーションが０．５ｍｓであると仮定し、チャネル占有期間があるタイムスロットの中間から開始することも考慮すると、１０ｍｓは２つの部分タイムスロット及び１９個の完全タイムスロットを占有し、この時のＮは２１である。
【００８１】
第２種類の計算方式として、Ｎ個のタイムスロットにおける第１タイムスロットが部分タイムスロットである場合、基地局はサブキャリア間隔に基づいて各タイムスロットのデュレーションを決定し、チャネル占有期間のデュレーションをタイムスロットのデュレーションで割って得た商をＮとして決定する。
【００８２】
ここで、基地局はサブキャリア間隔に基づいて各タイムスロットのデュレーションを決定するフローは第１種類の計算方式における説明を参照し、ここで説明を省略する。
【００８３】
チャネル占有期間のデュレーションが１０ｍｓである場合、各タイムスロットのデュレーションが１ｍｓであると仮定し、チャネル占有期間があるタイムスロットの中間から開始し且つ基地局が最後の部分タイムスロットを廃棄することも考慮すると、１０ｍｓは１つの部分タイムスロットと９つの完全タイムスロットを占有し、この時のＮは１０である。各タイムスロットのデュレーションが０．５ｍｓであると仮定し、チャネル占有期間があるタイムスロットの中間から開始し且つ基地局が最後の部分タイムスロットを廃棄することも考慮すると、１０ｍｓは１つの部分タイムスロット及び１９個の完全タイムスロットを占有し、この時のＮは２０である。
【００８４】
第３種類の算出方式として、Ｎ個のタイムスロットにおける最後のタイムスロットが部分タイムスロットである場合、基地局はサブキャリア間隔に基づいて各タイムスロットのデュレーションを決定し、チャネル占有時間のデュレーションをタイムスロットのデュレーションで割って得た商をＮとして決定する。
【００８５】
ここで、基地局はサブキャリア間隔に基づいて各タイムスロットのデュレーションを決定するフローは第１種類の計算方式における説明を参照し、ここで説明を省略する。
【００８６】
チャネル占有期間のデュレーションが１０ｍｓである場合、各タイムスロットのデュレーションが１ｍｓであると仮定し、チャネル占有期間があるタイムスロットの中間から開始し且つ基地局が第１の部分タイムスロットを廃棄することも考慮すると、１０ｍｓは１つの部分タイムスロットと９つの完全タイムスロットを占有し、この時のＮは１０である。各タイムスロットのデュレーションが０．５ｍｓであると仮定し、チャネル占有期間があるタイムスロットの中間から開始し且つ基地局が第１の部分タイムスロットを廃棄することも考慮すると、１０ｍｓは１つの部分タイムスロット及び１９個の完全タイムスロットを占有し、この時のＮは２０である。
【００８７】
Ｎを取得した後、基地局はタイムスロットフォーマット指示情報によってＮ個のタイムスロットにおけるシンボルのアップリンク・ダウンリンクフォーマットを指示する。異なるＵＥは異なるタイムスロットにおいてタイムスロットフォーマット指示情報をリッスンすると、各タイムスロットにおいてタイムスロットフォーマット指示情報を送信する。ＵＥを限定することで、異なるＵＥは特定のタイムスロットにおいてタイムスロットフォーマット指示情報をリッスンする場合、特定のタイムスロットにおいてタイムスロットフォーマット指示情報を送信することができる。以下はこの二種類の実現方式についてそれぞれ説明する。
【００８８】
第１種の実現方式では、基地局は各タイムスロットにおいてタイムスロットフォーマット指示情報を送信する。
【００８９】
なお、タイムスロットフォーマット指示情報がタイムスロットのいずれにおいて送信されても、当該タイムスロットフォーマット指示情報が指示するのは当該タイムスロット及びＮ個のタイムスロットの内の当該タイムスロットの後に位置するタイムスロットにおけるシンボルのアップリンク・ダウンリンクフォーマットである。すなわち、タイムスロットフォーマット指示情報はＮ個の第１タイムスロットフォーマット指示情報を含み、そのうち、第ｉ番目の第１タイムスロットフォーマット指示情報はＮ個のタイムスロットにおける第ｉ個乃至第Ｎ個のタイムスロットにおけるシンボルのアップリンク・ダウンリンクフォーマットを指示するように構成され、ｉはＮ以下の正の整数である。
【００９０】
Ｎが５であると仮定すれば、基地局は第１個のタイムスロットにおいて第１番目のタイムスロットフォーマット指示情報を送信する場合、当該第１番目の第１タイムスロットフォーマット指示情報は５つのタイムスロットにおけるシンボルのアップリンク・ダウンリンクフォーマットを指示する。基地局が第２個のタイムスロットにおいて第２番目のタイムスロットフォーマット指示情報を送信する場合、当該第２番目のタイムスロットフォーマット指示情報は後の４つのタイムスロットにおけるシンボルのアップリンク・ダウンリンクフォーマットを指示する。基地局は第３個のタイムスロットにおいて第３番目のタイムスロットフォーマット指示情報を送信する場合、当該第３番目のタイムスロットフォーマット指示情報は後の３個のタイムスロットにおけるシンボルのアップリンク・ダウンリンクフォーマットを指示する。このようにすると、基地局は第５個のタイムスロットにおいて第５番目のタイムスロットフォーマット指示情報を送信する場合、当該第５番目のタイムスロットフォーマット指示情報は最後の１個のタイムスロットにおけるシンボルのアップリンク・ダウンリンクフォーマットを指示する。
【００９１】
ここで、第ｉ番目の第１タイムスロットフォーマット指示情報は以下の二種類があってもよく、以下はこの二種類についてそれぞれ説明する。
【００９２】
１）第ｉ番目の第１タイムスロットフォーマット指示情報は第１タイムスロットフォーマット組み合わせを指示するように構成され、当該第１タイムスロットフォーマット組み合わせはＮ−ｉ＋１個のタイムスロットにおけるシンボルのアップリンク・ダウンリンクフォーマットを含む。
【００９３】
このような実現方式において、Ｎ個のタイムスロットにおける各タイムスロットは１個の第１タイムスロットフォーマット指示情報に対応し、且つ各第１タイムスロットフォーマット指示情報が指示する第１タイムスロットフォーマット組み合わせが異なる。ここで、第ｉ番目の第１タイムスロットフォーマット指示情報が指示する第１タイムスロットフォーマット組み合わせに含まれるＮ−ｉ＋１個のタイムスロットにおけるシンボルのアップリンク・ダウンリンクフォーマットは第１番目の第１タイムスロットフォーマット指示情報が指示する第１タイムスロットフォーマット組み合わせに含まれる後Ｎ−ｉ＋１個のタイムスロットにおけるシンボルのアップリンク・ダウンリンクフォーマットと同じである。
【００９４】
依然としてＮが５であると仮定し、第１番目の第１タイムスロットフォーマット指示情報が指示する第１タイムスロットフォーマット組み合わせは５つのタイムスロットにおけるシンボルのアップリンク・ダウンリンクフォーマットを含み、例えば第１番目の第１タイムスロットフォーマット指示情報ＩＤ１が指示する第１タイムスロットフォーマット組み合わせは｛ａ１、１５、４、５４、ａ３｝である。第２番目の第１タイムスロットフォーマット指示情報が指示する第１タイムスロットフォーマット組み合わせは４個のタイムスロットにおけるシンボルのアップリンク・ダウンリンクフォーマットを含み、且つ当該４個のタイムスロットにおけるシンボルのアップリンク・ダウンリンクフォーマットは上記５個のタイムスロットにおける後４個のタイムスロットのシンボルのアップリンク・ダウンリンクフォーマットと同じである。例えば第２番目の第１タイムスロットフォーマット指示情報ＩＤ２が指示する第１タイムスロットフォーマット組み合わせは｛１５、４、５４、ａ３｝である。第３番目の第１タイムスロットフォーマット指示情報が指示する第１タイムスロットフォーマット組み合わせは３個のタイムスロットにおけるシンボルのアップリンク・ダウンリンクフォーマットを含み、且つ当該３個のタイムスロットにおけるシンボルのアップリンク・ダウンリンクフォーマットは上記５つのタイムスロットにおける後の３個のタイムスロットのシンボルのアップリンク・ダウンリンクフォーマットと同じである。例えば第３番目の第１タイムスロットフォーマット指示情報ＩＤ３が指示する第１タイムスロットフォーマット組み合わせは｛４、５４、ａ３｝である。その以降は同様にする。
【００９５】
２）第ｉ番目の第１タイムスロットのフォーマット指示情報は第１タイムスロットのフォーマット指示サブ情報及びタイムスロット個数指示情報を含み、第１タイムスロットフォーマット指示サブ情報は第２タイムスロットフォーマット組み合わせを指示するように構成され、第２タイムスロットフォーマット組み合わせはＮ個のタイムスロットにおけるシンボルのアップリンク・ダウンリンクフォーマットを含み、当該タイムスロット個数指示情報は、Ｎ個のタイムスロットにおける第ｉ個乃至第Ｎ個のタイムスロットにおけるシンボルのアップリンク・ダウンリンクフォーマットが第２タイムスロットフォーマット組み合わせにおける後のＮ−ｉ＋１個のタイムスロットにおけるシンボルのアップリンク・ダウンリンクフォーマットと同じであることを指示するように構成される。
【００９６】
このような実現方式において、各第１タイムスロットフォーマット指示情報は、第１タイムスロットフォーマット指示サブ情報が同じであり、タイムスロットの個数指示情報が異なる。ここでいう第１スロットフォーマット指示サブ情報は、先の実現形態における第１番目の第１スロットフォーマット指示情報に相当する。
【００９７】
依然としてＮが５であると仮定すると、１番目の第１タイムスロットフォーマット指示情報は第１タイムスロットフォーマット指示サブ情報及びタイムスロット個数指示情報５を含み、第１個乃至第５個のタイムスロットにおけるシンボルのアップリンク・ダウンリンクフォーマットが第２タイムスロットフォーマット組み合わせに含まれる５つのタイムスロットにおけるシンボルのアップリンク・ダウンリンクフォーマットと同じであることを指示し、例えば１番目の第１タイムスロットフォーマット指示情報ＩＤ１は｛ａ１、１５、４、５４、ａ３｝を指示する。２番目の第１タイムスロットフォーマット指示情報は第１タイムスロットフォーマット指示サブ情報及びタイムスロット個数指示情報４を含み、第２個乃至第５個のタイムスロットにおけるシンボルのアップリンク・ダウンリンクフォーマットが第２タイムスロットフォーマット組み合わせに含まれる５個のタイムスロットの内の後４個のタイムスロットのシンボルのアップリンク・ダウンリンクフォーマットと同じであると指示し、例えば２番目の第１タイムスロットフォーマット指示情報ＩＤ２は｛ａ１、１５、４、５４、ａ３｝のうちの｛１５、４、５４、ａ３｝を指示する。３番目の第１タイムスロットフォーマット指示情報は第１タイムスロットフォーマット指示サブ情報とタイムスロット個数指示情報３を含み、第３個乃至第５個のタイムスロットにおけるシンボルのアップリンク・ダウンリンクフォーマットが第２タイムスロットフォーマット組み合わせに含まれた５個のタイムスロットのうちの後３個のタイムスロットのシンボルのアップリンク・ダウンリンクフォーマットと同じであることを指示し、例えば３番目の第１タイムスロットフォーマット指示情報ＩＤ３は｛ａ１、１５、４、５４、ａ３｝における｛４、５４、ａ３｝を指示する。以降は同様にする。
【００９８】
第２種の実現方式において、基地局は特定のタイムスロットにおいてタイムスロットフォーマット指示情報を送信する。
【００９９】
ここでいう特定のスロットとは、周期内のいずれかのタイムスロットと定義することができる。例えば、特定のタイムスロットは周期が３となるタイムスロット組み合わせにおける第１個のタイムスロットである。Ｎ個のタイムスロットがそれぞれタイムスロット０〜１１である場合、特定のタイムスロットはそれぞれタイムスロット０、タイムスロット３、タイムスロット６、タイムスロット９である。
【０１００】
ＵＥは特定のタイムスロットにおいてタイムスロットフォーマット指示情報を受信するため、一つのタイムスロットフォーマット指示情報により１周期内の各タイムスロットにおけるシンボルのアップリンク・ダウンリンクフォーマットを指示することができる。この時、タイムスロットフォーマット指示情報はＭ個の第２タイムスロットフォーマット指示情報を含み、そのうち、第ｊ番目の第２タイムスロットフォーマット指示情報は第ｊ番目の周期内のＰ個のタイムスロットにおけるシンボルのアップリンク・ダウンリンクフォーマットを指示するように構成され、ｊはＭ以下の正の整数であり、且つＭにＰを乗算して得られた乗算値はＮ以下である。
【０１０１】
本発明の実施例において、第２タイムスロットフォーマット指示情報は第３タイムスロットフォーマット組み合わせを指示するように構成され、第３タイムスロットフォーマット組み合わせはＰ個のタイムスロットにおけるシンボルのアップリンク・ダウンリンクフォーマットを含む。
【０１０２】
このような実現方式において、各周期における全てのタイムスロットは一つの第２タイムスロットフォーマット指示情報に対応し、かつ各第２タイムスロットフォーマット指示情報が指示する第３タイムスロットフォーマット組み合わせは同じであってもよく、異なってもよい。
【０１０３】
Ｎが１１であり、且つ特定のタイムスロットは周期が３であるタイムスロット組み合わせにおける第１個のタイムスロットであると仮定すると、タイムスロット０において送信される第１番目の第２タイムスロットフォーマット指示情報ＩＤ１は一つの第３タイムスロットフォーマット組み合わせを指示する。タイムスロット３において送信される第２番目の第２タイムスロットフォーマット指示情報ＩＤ２は一つの第３タイムスロットフォーマット組み合わせを指示する。タイムスロット６において送信される第３番目の第２タイムスロットフォーマット指示情報ＩＤ３は一つの第３タイムスロットフォーマット組み合わせを指示する。タイムスロット９において送信される第４番目の第２タイムスロットフォーマット指示情報ＩＤ４は一つの第３タイムスロットフォーマット組み合わせを指示する。
【０１０４】
本実施例において、基地局はさらに所定の閾値を設定することができ、本実施例では所定の閾値の大きさが限定されない。
【０１０５】
Ｎが当該所定の閾値より小さい場合、基地局は当該チャネル占有期間に一つのタイムスロットフォーマット指示情報を生成し、その実現方式は上記実現方式を参照してもよい。
【０１０６】
Ｎが当該所定の閾値より大きい場合、基地局はチャネル占有期間をいくつかのセグメント期間に分け、各セグメント期間に一つのタイムスロットフォーマット指示情報を生成し、この時、タイムスロットフォーマット指示情報は少なくとも二つの第３タイムスロットフォーマット指示情報を含み、第３タイムスロットフォーマット指示情報はチャネル占有期間の一つのセグメント期間内のＱ個のタイムスロットにおけるシンボルのアップリンク・ダウンリンクフォーマットを指示するように構成される。Ｑは予め設定された閾値以下の正の整数である。
【０１０７】
このような実現方式において、基地局は各セグメント期間に一つのタイムスロットフォーマット指示情報を生成することができ、各セグメント期間を一つのチャネル占有期間とみなすと、その実現方式は上記実現方式を参照することができる。
【０１０８】
ステップ５０５において、ＵＥは基地局が送信したスロットフォーマット指示情報を受信する。
【０１０９】
本発明の実施例において、ＵＥはＤＣＩシグナリングを介して当該スロットフォーマット指示情報を受信することができる。すなわち、ＵＥは基地局が送信した、上記スロットフォーマット指示情報が運ばれているＤＣＩシグナリングを受信する。
【０１１０】
以上説明したように、本開示の実施例に係るタイムスロットフォーマットの指示方法では、未許可周波数スペクトルに位置するターゲットチャネルがアイドル状態にあることをリッスンした場合に、ユーザ設備ＵＥにタイムスロットフォーマット指示情報を送信し、ここで、当該タイムスロットフォーマット指示情報はチャネル占有期間内のＮ個のタイムスロットにおけるシンボルのアップリンク・ダウンリンクフォーマットを指示するように構成され、且つ当該Ｎ個のタイムスロットにおける第１個のタイムスロット及び／又は最後のタイムスロットは部分タイムスロットであることにより、ＵＥはタイムスロットフォーマット指示情報による指示に基づいて当該Ｎ個のタイムスロットにおけるシンボルのアップリンク・ダウンリンクフォーマットを取得することができ、それによりＵＥは基地局の許可を要求しなくても、タイムスロットにおけるアップリンクフォーマットのシンボルで基地局に通信データを送信することができ、同時にＵＥがタイムスロットのアップリンクフォーマットのシンボルにおいてＰＤＣＣＨのブラインド検出を行うことを回避することができる。このように、ＵＥの消費電力及びアップリンク送信遅延を低減することができ、そのためＮ個のタイムスロットにおける部分タイムスロットによる基地局とＵＥとの間の通常通信への悪影響を低減することができる。
【０１１１】
図６は、例示的な実施例に係るタイムスロットフォーマット指示装置６００のブロック図である。当該タイムスロットフォーマット指示装置６００は図２に示す基地局１０に設けられてもよい。図６を参照して、タイムスロットフォーマット指示装置６００は、送信モジュール６０１を含む。
【０１１２】
当該送信モジュール６０１は、ターゲットチャネルがアイドル状態にあることをリッスンした場合に、ＵＥにタイムスロットフォーマット指示情報を送信するように構成される。
【０１１３】
ここで、当該タイムスロットフォーマット指示情報はチャネル占有期間内のＮ個のタイムスロットにおけるシンボルのアップリンク・ダウンリンクフォーマットを指示するように構成され、Ｎ個のタイムスロットにおける第１個のタイムスロット及び／又は最後のタイムスロットは部分タイムスロットであり、Ｎは１以上の正の整数であり、当該チャネル占有期間は基地局がターゲットチャネルを占有する期間であり、当該ターゲットチャネルは未許可周波数スペクトルに位置する。
【０１１４】
本発明の一実施例において、当該送信モジュール６０１は、さらに以下のように構成される。ＵＥにマッピング関係を送信し、当該マッピング関係はタイムスロットフォーマット指示情報とタイムスロットフォーマット組み合わせとの間の関係を指示するように構成され、当該タイムスロットフォーマット組み合わせはＫ個のタイムスロットにおけるシンボルのアップリンク・ダウンリンクフォーマットを含み、ＫはＮ以下の正の整数である。
【０１１５】
本開示の一実施例において、当該タイムスロットフォーマット組み合わせはタイムスロットフォーマットテーブルにおけるＫ個のフォーマット識別子を含み、当該タイムスロットフォーマットテーブルにフォーマット識別子とアップリンク・ダウンリンクフォーマットシーケンスとの対応関係が少なくとも１セット記憶され、アップリンク・ダウンリンクフォーマットシーケンスはＬ個のシンボルのアップリンク・ダウンリンクフォーマットを含み、Ｌは１４以下の正の整数である。
【０１１６】
本発明の一実施例において、当該送信モジュール６０１は、さらに以下のように構成される。ＵＥに、マッピング関係が運ばれているＲＲＣシグナリングを送信する。
【０１１７】
本発明の一実施例において、Ｎはチャネル占有期間及びサブキャリア間隔に基づいて決定される。
【０１１８】
本開示の一実施例において、Ｎ個のタイムスロットにおける第１個と最後のタイムスロットは部分タイムスロットである。当該装置はさらに決定モジュール及び計算モジュールを含む。
【０１１９】
当該決定モジュールは、サブキャリア間隔に基づいて各タイムスロットのデュレーションを決定するように構成される。
【０１２０】
当該算出モジュールは、チャネル占有期間のデュレーションをタイムスロットのデュレーションで割って得られた商に１を加算してＮを得るように構成される。
【０１２１】
本開示の一実施例において、当該タイムスロットフォーマット指示情報はＮ個の第１タイムスロットフォーマット指示情報を含み、そのうち、第ｉ番目の第１タイムスロットフォーマット指示情報はＮ個のタイムスロットにおける第ｉ個乃至第Ｎ個のタイムスロットにおけるシンボルのアップリンク・ダウンリンク形態を指示するように構成され、ｉはＮ以下の正の整数である。
【０１２２】
本発明の一実施例において、当該第ｉ番目の第１タイムスロットフォーマット指示情報は第１タイムスロットフォーマット組み合わせを指示するように構成され、当該第１タイムスロットフォーマット組み合わせはＮ−ｉ＋１個のタイムスロットにおけるシンボルのアップリンク・ダウンリンクフォーマットを含む。
【０１２３】
本発明の一実施例において、当該第ｉ番目の第１タイムスロットフォーマット指示情報は第１タイムスロットフォーマット指示サブ情報及びタイムスロット個数指示情報を含み、当該第１タイムスロットフォーマット指示サブ情報は第２タイムスロットフォーマット組み合わせを指示するように構成され、当該第２タイムスロットフォーマット組み合わせはＮ個のタイムスロットにおけるシンボルのアップリンク・ダウンリンクフォーマットを含む。当該タイムスロット個数指示情報は、Ｎ個のタイムスロットにおける第ｉ個乃至第Ｎ個のタイムスロットにおけるシンボルのアップリンク・ダウンリンクフォーマットが第２タイムスロットフォーマット組み合わせにおける後のＮ−ｉ＋１個のタイムスロットにおけるシンボルのアップリンク・ダウンリンクフォーマットが同じであることを指示するように構成される。
【０１２４】
本発明の一実施例において、当該タイムスロットフォーマット指示情報はＭ個の第２タイムスロットフォーマット指示情報を含み、そのうち、第ｊ番目の第２タイムスロットフォーマット指示情報は第ｊ番目の周期内のＰ個のタイムスロットにおけるシンボルのアップリンク・ダウンリンクフォーマットを指示するように構成され、ｊはＭ以下の正の整数であり、かつＭにＰを乗算して得られた乗算値はＮ以下である。
【０１２５】
本開示の一実施例において、当該第２タイムスロットフォーマット指示情報は第３タイムスロットフォーマット組み合わせを指示するように構成され、当該第３タイムスロットフォーマット組み合わせはＰ個のタイムスロットにおけるシンボルのアップリンク・ダウンリンク形態を含む。
【０１２６】
本開示の一実施形態では、Ｎは所定の閾値よりも大きい。当該タイムスロットフォーマット指示情報は少なくとも二つの第３タイムスロットフォーマット指示情報を含み、当該第３タイムスロットフォーマット指示情報はチャネル占有期間の一つのセグメント期間内のＱ個のタイムスロットにおけるシンボルのアップリンク・ダウンリンクフォーマットを指示するように構成され、Ｑは予め設定された閾値以下の正の整数である。
【０１２７】
本発明の一実施例において、当該送信モジュール６０１は、さらに以下のように構成される。ＵＥに、スロットフォーマット指示情報が運ばれているＤＣＩシグナリングを送信する。
【０１２８】
本開示の一実施例において、当該ＤＣＩシグナリングはグループ共用（ｇｒｏｕｐｃｏｍｍｏｎ）のＤＣＩシグナリングである。又は、ＤＣＩシグナリングはユーザ設備専用（ＵＥｓｐｅｃｉｆｉｃ）のＤＣＩシグナリングである。
【０１２９】
以上説明したように、本発明の実施例の提供するタイムスロットフォーマット指示装置では、未許可周波数スペクトルに位置するターゲットチャネルがアイドル状態にあることをリッスンした場合に、ユーザ設備ＵＥにタイムスロットフォーマット指示情報を送信し、ここで、当該タイムスロットフォーマット指示情報はチャネル占有期間内のＮ個のタイムスロットにおけるシンボルのアップリンク・ダウンリンクフォーマットを指示するように構成され、且つ当該Ｎ個のタイムスロットにおける第１個のタイムスロット及び／又は最後のタイムスロットは部分タイムスロットであることにより、ＵＥはタイムスロットフォーマット指示情報による指示に基づいて当該Ｎ個のタイムスロットにおけるシンボルのアップリンク・ダウンリンクフォーマットを取得することができ、それによりＵＥは基地局の許可を要求しなくても、タイムスロットにおけるアップリンクフォーマットのシンボルで基地局に通信データを送信することができ、同時にＵＥがタイムスロットのアップリンクフォーマットのシンボルにおいてＰＤＣＣＨのブラインド検出を行うことを回避することができる。このように、ＵＥの消費電力及びアップリンク送信遅延を低減することができ、そのためＮ個のタイムスロットにおける部分タイムスロットによる基地局とＵＥとの間の通常通信への悪影響を低減することができる。
【０１３０】
上記実施例における装置について、各モジュールが操作を実行する具体的な方式は既に当該方法に関する実施例において詳細に説明されたおので、ここでは詳細に説明しない。
【０１３１】
図７は例示的な実施例に係るタイムスロットフォーマット指示装置７００のブロック図である。当該タイムスロットフォーマット指示装置７００は図２に示すＵＥ２０に設けられてもよい。図７を参照して、このスロットフォーマット指示装置７００は、受信モジュール７０１を含む。
【０１３２】
当該受信モジュール７０１は、基地局が送信したスロットフォーマット指示情報を受信するように構成される。
【０１３３】
ここで、当該タイムスロットフォーマット指示情報はチャネル占有期間内のＮ個のタイムスロットにおけるシンボルのアップリンク・ダウンリンクフォーマットを指示するように構成され、Ｎ個のタイムスロットにおける第１個のタイムスロット及び／又は最後のタイムスロットは部分タイムスロットであり、Ｎは１以上の正の整数であり、当該スロットフォーマット指示情報は基地局がターゲットチャネルがアイドル状態にあることをリッスンした場合に送信するものであり、当該チャネル占有期間は基地局がターゲットチャネルを占有する期間であり、当該ターゲットチャネルは未許可周波数スペクトルに位置する。
【０１３４】
本開示の一実施例において、受信モジュール７０１はさらに、基地局が送信するマッピング関係を受信するように構成され、ここで、当該マッピング関係はタイムスロットフォーマット指示情報とタイムスロットフォーマット組み合わせとの間の関係を指示するように構成され、当該タイムスロットフォーマット組み合わせはＫ個のタイムスロットにおけるシンボルのアップリンク・ダウンリンクフォーマットを含み、ＫはＮ以下の正の整数である。
【０１３５】
本開示の一実施例において、当該タイムスロットフォーマット組み合わせはタイムスロットフォーマットテーブルにおけるＫ個のフォーマット識別子を含み、当該タイムスロットフォーマットテーブルにフォーマット識別子とアップリンク・ダウンリンクフォーマットシーケンスとの対応関係が少なくとも１セット記憶され、アップリンク・ダウンリンクフォーマットシーケンスはＬ個のシンボルのアップリンク・ダウンリンクフォーマットを含み、Ｌは１４以下の正の整数である。
【０１３６】
本発明の一実施例において、当該送信モジュール６０１は、さらに以下のように構成される。基地局が送信した、上記のマッピング関係が運ばれているＲＲＣシグナリングを受信する。
【０１３７】
本発明の一実施例において、Ｎはチャネル占有期間及びサブキャリア間隔に基づいて決定される。
【０１３８】
本開示の一実施例において、当該タイムスロット形態指示情報はＮ個の第１タイムスロットフォーマット指示情報を含み、そのうち、第ｉ番目の第１タイムスロットフォーマット指示情報はＮ個のタイムスロットにおける第ｉ個乃至第Ｎ個のタイムスロットにおけるシンボルのアップリンク・ダウンリンクフォーマットを指示するように構成され、ｉはＮ以下の正の整数である。
【０１３９】
本発明の一実施例において、当該第ｉ番目の第１タイムスロットフォーマット指示情報は第１タイムスロットフォーマット組み合わせを指示するように構成され、当該第１タイムスロットフォーマット組み合わせはＮ−ｉ＋１個のタイムスロットにおけるシンボルのアップリンク・ダウンリンクフォーマットを含む。
【０１４０】
本発明の一実施例において、当該第ｉ番目の第１タイムスロットフォーマット指示情報は第１タイムスロットフォーマット指示サブ情報及びタイムスロット個数指示情報を含み、当該第１タイムスロットフォーマット指示サブ情報は第２タイムスロットフォーマット組み合わせを指示するように構成され、当該第２タイムスロットフォーマット組み合わせはＮ個のタイムスロットにおけるシンボルのアップリンク・ダウンリンクフォーマットを含む。当該タイムスロット個数指示情報は、Ｎ個のタイムスロットにおける第ｉ個乃至第Ｎ個のタイムスロットにおけるシンボルのアップリンク・ダウンリンクフォーマットが第２タイムスロットフォーマット組み合わせにおける後のＮ−ｉ＋１個のタイムスロットにおけるシンボルのアップリンク・ダウンリンクフォーマットが同じであることを指示するように構成される。
【０１４１】
本発明の一実施例において、当該タイムスロットフォーマット指示情報はＭ個の第２タイムスロットフォーマット指示情報を含み、そのうち、第ｊ番目の第２タイムスロットフォーマット指示情報は第ｊ番目の周期内のＰ個のタイムスロットにおけるシンボルのアップリンク・ダウンリンクフォーマットを指示するように構成され、ｊはＭ以下の正の整数であり、かつＭにＰを乗算して得られた乗算値はＮ以下である。
【０１４２】
本開示の一実施例において、当該第２タイムスロットフォーマット指示情報は第３タイムスロットフォーマット組み合わせを指示するように構成され、当該第３タイムスロットフォーマット組み合わせはＰ個のタイムスロットにおけるシンボルのアップリンク・ダウンリンクフォーマットを含む。
【０１４３】
本開示の一実施例において、Ｎは所定の閾値よりも大きい。当該タイムスロットフォーマット指示情報は少なくとも二つの第３タイムスロットフォーマット指示情報を含み、当該第３タイムスロットフォーマット指示情報はチャネル占有期間の一つのセグメント期間内のＱ個のタイムスロットにおけるシンボルのアップリンク・ダウンリンクフォーマットを指示するように構成され、Ｑは予め設定された閾値以下の正の整数である。
【０１４４】
本開示の一実施形態では、当該受信モジュール７０１は、さらに基地局が送信した、スロットフォーマット指示情報が運ばれているＤＣＩシグナリングを受信する。
【０１４５】
本開示の一実施例において、当該ＤＣＩシグナリングはグループ共用（ｇｒｏｕｐ  ｃｏｍｍｏｎ）のＤＣＩシグナリングである。又は、ＤＣＩシグナリングはユーザ設備専用（ＵＥ  ｓｐｅｃｉｆｉｃ）のＤＣＩシグナリングである。
【０１４６】
以上説明したように、本開示の実施例に係るタイムスロットフォーマット指示装置では、基地局が未許可周波数スペクトルに位置するターゲットチャネルがアイドル状態にあることをリッスンした場合に送信したタイムスロットフォーマット指示情報を受信し、ここで、当該タイムスロットフォーマット指示情報はチャネル占有期間内のＮ個のタイムスロットにおけるシンボルのアップリンク・ダウンリンクフォーマットを指示するように構成され、且つ当該Ｎ個のタイムスロットにおける第１個のタイムスロット及び／又は最後のタイムスロットは部分タイムスロットであることにより、ＵＥはタイムスロットフォーマット指示情報による指示に基づいて当該Ｎ個のタイムスロットにおけるシンボルのアップリンク・ダウンリンクフォーマットを取得することができ、それによりＵＥは基地局の許可を要求しなくても、タイムスロットにおけるアップリンクフォーマットのシンボルで基地局に通信データを送信することができ、同時にＵＥがタイムスロットのアップリンクフォーマットのシンボルにおいてＰＤＣＣＨのブラインド検出を行うことを回避することができる。このように、ＵＥの消費電力及びアップリンク送信遅延を低減することができ、そのためＮ個のタイムスロットにおける部分タイムスロットによる基地局とＵＥとの間の通常通信への悪影響を低減することができる。
【０１４７】
上記実施例における装置について、各モジュールが操作を実行する具体的な方式は既に当該方法に関する実施例において詳細に説明されたので、ここでは詳細に説明しない。
【０１４８】
図８は、例示的な実施例に係るタイムスロットフォーマット指示装置８００のブロック図である。例えば、装置８００は、携帯電話、コンピュータ、デジタル放送端末、メッセージング装置、ゲームコンソール、タブレット装置、医療装置、フィットネス装置、パーソナルデジタルアシスタントなどであってもよい。
【０１４９】
図８を参照すると、装置８００は、処理ユニット８０２と、メモリ８０４と、電源ユニット８０６と、マルチメディアユニット８０８と、オーディオユニット８１０と、入力／出力（Ｉ／Ｏ）インターフェース８１２と、センサーユニット８１４と、通信ユニット８１６との１つ又は複数を含んでよい。
【０１５０】
処理ユニット８０２は、通常、表示、電話呼び出し、データ通信、カメラ操作および記録操作に関連する操作のような装置８００の全体操作を制御する。処理ユニット８０２は、上記方法の実施例におけるＵＥ２０が実行する全部または一部のステップを完成するために命令を実行する１つまたは複数のプロセッサ８２０を備えることができる。また、処理ユニット８０２は、その他のユニットとのやり取りを容易にするために１つまたは複数のモジュールを含むことができる。例えば、処理ユニット８０２は、マルチメディアユニット８０８とのやり取りを容易にするために、マルチメディアモジュールを含むことができる。
【０１５１】
メモリ８０４は、装置８００による動作を支援するための様々なデータを格納するように構成されている。これらのデータの例としては、装置８００で動作する任意のアプリケーションまたは方法のための指示、連絡先データ、電話帳データ、メッセージ、写真、ビデオなどを含む。メモリ８０４は、スタティック・ランダム・アクセス・メモリ（ＳＲＡＭ）、電気的に消去可能なプログラマブル・リードオンリー・メモリ（ＥＥＰＲＯＭ）、消去可能なプログラマブル・リードオンリー・メモリ（ＥＰＲＯＭ）、プログラマブル・リードオンリー・メモリ（ＰＲＯＭ）、リードオンリー・メモリ（ＲＯＭ）、磁気メモリ、フラッシュ・メモリ、ディスクまたはＣＤ−ＲＯＭなど、任意のタイプの揮発性または不揮発性の記憶デバイスまたはそれらの組み合わせによって実現されてもよい。
【０１５２】
電源ユニット８０６は、装置８００の様々な構成要素に電力を供給する。電源ユニット８０６は、電源管理システム、一つ以上の電源、および装置８００のための電力の生成、管理、および分配に関連する他のユニットを含んでよい。
【０１５３】
マルチメディアユニット８０８は、装置８００とユーザとの間に出力インタフェースを提供する画面を含む。一部の実施例では、画面は、液晶ディスプレイ（ＬＣＤ）およびタッチパネル（ＴＰ）を含むことができる。画面がタッチパネルを含む場合、その画面は、ユーザからの入力信号を受信するために、タッチパネルとして実現されることができる。タッチパネルは、タッチ、スライドおよびタッチパネル上のジェスチャーをセンシングするために1つまたは複数のタッチセンサを含む。タッチセンサは、タッチやスライドの境界をセンシングするだけでなく、タッチやスライドに関連する継続時間および圧力を検出することができる。一部の実施例では、マルチメディアユニット８０８は、フロントカメラおよび/またはリアカメラを含む。装置８００が撮影モードやビデオモードのような操作モードにある場合、フロントカメラと/またはリアカメラは、外部のマルチメディアデータを受信することができる。フロントカメラとリアカメラの各々は、固定された光学レンズシステムであってよく、または焦点距離および光学ズーム機能を備えても良い。
【０１５４】
オーディオユニット８１０は、オーディオ信号を出力および/または入力するように構成される。例えば、オーディオユニット８１０はマイクロフォン（ＭＩＣ）を含み、装置８００が呼び出しモード、記録モードおよび音声認識モードのような操作モードにある場合、マイクロフォンは外部のオーディオ信号を受信するように構成される。受信されたオーディオ信号はさらにメモリ８０４に記憶され、または通信ユニット８１６経由で送信されることができる。一部の実施例では、オーディオユニット８１０は、さらにオーディオ信号を出力する構成されるスピーカーを含む。
【０１５５】
Ｉ／Ｏインタフェース８１２は処理モジュール８０２と周辺インタフェースモジュールとの間にインタフェースを提供し、上記周辺インタフェースモジュールはキーボード、クリックホイール、ボタン等であってもよい。これらのボタンには、ホームボタン、ボリュームボタン、スタートボタン、ロックボタンなどが含まれるが、これらに限定されるものではない。
【０１５６】
センサユニット８１４は、装置８００に各方面の状態評価を提供するように構成される1つまたは複数のセンサを含む。例えば、センサユニット８１４は、装置８００のオン/オフ状態、ユニットの相対的な位置決め、例えばユニットが装置８００のディスプレイおよびキーパッドであることを検出でき、センサユニット８１４はさらに装置８００または装置８００における一つのユニットの位置変化、ユーザとの装置８００との接触が存在するかどうか、装置８００の方位または加速/減速および装置８００の温度変化を検出することも可能である。センサユニット８１４は、いかなる物理的接触がない時に近くの物体が存在しているかどうかを検出するように構成される近接センサを含むことができる。該センサユニット８１４はさらにイメージングアプリケーションに使用されるように構成されるＣＭＯＳやＣＣＤイメージセンサのような光センサを含むことができる。一部の実施例では、該センサユニット８１４はさらに加速度センサ、ジャイロセンサ、磁気センサ、圧力センサまたは温度センサを含むことができる。
【０１５７】
通信ユニット８１６は、装置８００と他の装置との間の有線または無線通信を容易にするように構成される。装置８００は、ＷｉＦｉ、２Ｇ若しくは３Ｇ、又はこれらの組み合わせなどの通信規格に基づく無線ネットワークにアクセスすることができる。一つの例示的な実施例では、通信ユニット８１６は、放送チャネルを介して外部の放送管理システムからの放送信号または放送関連情報を受信する。一つの例示的な実施例では、通信ユニット８１６は、さらに、近距離通信を促進するために近距離通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース(登録商標)（ＢＴ）技術およびその他の技術に基づいて実現されることができる。
【０１５８】
例示的な実施例において、装置８００は1つまたは複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ、またはその他の電子コンポーネントによって実現されることができ、上記方法の実施例におけるＵＥ２０が実行するプロセスを実行するように構成される。
【０１５９】
例示的な実施例では、命令を含むメモリ８０４のような非一時的なコンピュータ読み取り可能な記憶媒体を提供する。上記の命令は装置８００のプロセッサ８２０によって実行されて上記方法の実施例におけるＵＥ２０が実行するプロセスを完成させることができる。例えば、非一時的なコンピュータ読み取り可能な記憶媒体は、ＲＯＭ、ランダムアクセスメモリ（ＲＡＭ）、ＣＤ-ＲＯＭ、テープ、フロッピー(登録商標)ディスクおよび光データ記憶装置などであってよい。
【０１６０】
図９は、例示的な実施例に係るタイムスロットフォーマット指示装置９００のブロック図である。例えば、タイムスロットフォーマット指示装置９００は、基地局であってもよい。図９に示すように、タイムスロットフォーマット指示装置９００はプロセッサ９０１と、受信器９０２と、送信器９０３と、メモリ９０４とを備える。受信機９０２と送信機９０３とメモリ９０４は、それぞれバスを介してプロセッサ９０１に接続されている。
【０１６１】
プロセッサ９０１は一つ又は一つ以上の処理コアを含み、プロセッサ９０１はソフトウェアプログラム及びモジュールを実行することにより本開示の実施例に係るタイムスロットフォーマット指示方法における基地局の実行する方法を実行する。メモリ９０４には、ソフトウェアプログラム及びモジュールが格納されている。具体的には、メモリ９０４はオペレーティングシステム９０４１や、少なくとも一つの機能に必要なアプリケーションモジュール９０４２を格納することができる。受信機９０２は他の機器が送信する通信データを受信し、送信機９０３は他の機器に通信データを送信する。
【０１６２】
図１０は例示的な実施例に係るタイムスロットフォーマット指示システム１０００のブロック図である。図１０に示すように、当該タイムスロットフォーマット指示システム１０００は基地局１００１及びＵＥ１００２を含む。
【０１６３】
そのうち、基地局１００１は図５に示す実施例における基地局の実行するタイムスロットフォーマット指示方法を実行するように構成される。
【０１６４】
ＵＥ１００２は図５に示す実施例におけるＵＥの実行するタイムスロットフォーマット指示方法を実行するように構成される。
【０１６５】
例示的な実施例において、さらにコンピュータ読み取り可能な記憶媒体を提供し、当該コンピュータ読み取り可能な記憶媒体は不揮発性のコンピュータ読み取り可能な記憶媒体であり、当該コンピュータ読み取り可能な記憶媒体にコンピュータプログラムが記憶され、記憶されているコンピュータプログラムが処理モジュールにより実行されると、本開示の上記実施例に係るタイムスロットフォーマット指示方法を実現することができる。
【０１６６】
本開示の実施例はさらにコンピュータプログラム製品を提供し、当該コンピュータプログラム製品には命令が記憶され、コンピュータで実行されると、コンピュータに本開示の実施例に係るタイムスロットフォーマット指示方法を実行させる。
【０１６７】
本開示の実施例はさらにチップを提供し、当該チップはプログラマブル論理回路及び／又はプログラム命令を含み、当該チップが働く時に本開示の実施例に係るタイムスロットフォーマット指示方法を実行することができる。
【０１６８】
本開示の他の実施形態は、本明細書の考察及び本明細書に開示される本発明の実施から当業者に容易に明らかになるであろう。本出願は本開示のいかなる変形、用途又は適応変化をカバーすることを意図し、これらの変形、用途又は適応変化は本開示の一般的な原理に従い且つ本開示に開示されていない当技術分野における公知常識又は慣用技術手段を含む。本明細書および実施例は、例示のみとして考えられ、本開示の真の範囲および精神は、以下の特許請求の範囲によって示される。
本開示は、上記に描かれかつ図面に示した厳密な構造に限定されるものではなく、その範囲から逸脱することなく様々な修正及び変更が可能であることを理解されたい。本開示の範囲は、添付の特許請求の範囲に限る。
【図１】
2021533687.tif 000006
【図２】
2021533687.tif 000007
【図３】
2021533687.tif 000008
【図４】
2021533687.tif 000009
【図５】
2021533687.tif 000010
【図６】
2021533687.tif 000011
【図７】
2021533687.tif 000012
【図８】
2021533687.tif 000013
【図９】
2021533687.tif 000014
【図１０】
2021533687.tif 000015
【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
タイムスロットフォーマット指示方法であって、
ターゲットチャネルがアイドル状態にあることをリッスンした場合に、ユーザ設備（ＵＥ）にタイムスロットフォーマット指示情報を送信することを含み、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記チャネル占有期間は基地局が前記ターゲットチャネルを占有する期間であり、前記ターゲットチャネルは未許可周波数スペクトルに位置する、
ことを特徴とするタイムスロットフォーマット指示方法。
【請求項２】
前記ＵＥにマッピング関係に関連付けられている指示情報を送信することを更に含み、
前記マッピング関係はタイムスロットフォーマット指示情報とタイムスロットフォーマット組み合わせとのマッピング関係である、
ことを特徴とする請求項１に記載の方法。
【請求項３】
前記タイムスロットフォーマット組み合わせはタイムスロットフォーマットテーブルにおける複数のフォーマット識別子を含み、前記タイムスロットフォーマットテーブルには、前記フォーマット識別子とアップリンク・ダウンリンクフォーマットシーケンスとの対応関係が記憶され、前記アップリンク・ダウンリンクフォーマットシーケンスはＬ個のシンボルのアップリンク・ダウンリンクフォーマットを含み、前記Ｌは１４以下の正の整数である、
ことを特徴とする請求項２に記載の方法。
【請求項４】
前記ＵＥにマッピング関係に関連付けられている指示情報を送信することは、
前記ＵＥに、前記マッピング関係に関連付けられている指示情報が運ばれている無線リソース制御（ＲＲＣ）シグナリングを送信することを含む、
ことを特徴とする請求項２に記載の方法。
【請求項５】
前記Ｎは前記チャネル占有期間とサブキャリア間隔との少なくとも１方に基づいて決定される、
ことを特徴とする請求項１に記載の方法。
【請求項６】
前記Ｎは予め設定された閾値より大きく、
前記タイムスロットフォーマット指示情報は少なくとも２個の第３タイムスロットフォーマット指示情報を含み、前記第３タイムスロットフォーマット指示情報は前記チャネル占有期間の一つのセグメント期間内のＱ個のタイムスロットにおけるシンボルのアップリンク・ダウンリンクフォーマットを指示するように構成され、前記Ｑは前記予め設定された閾値以下の正の整数である、
ことを特徴とする請求項１に記載の方法。
【請求項７】
前記ユーザ設備ＵＥにタイムスロットフォーマット指示情報を送信することは、
前記ＵＥに、前記スロットフォーマット指示情報が運ばれているダウンリンク制御情報（ＤＣＩ）シグナリングを送信することを含む、
ことを特徴とする請求項１から６のいずれか１項に記載の方法。
【請求項８】
前記ＤＣＩシグナリングはグループ共用（ｇｒｏｕｐ  ｃｏｍｍｏｎ）のＤＣＩシグナリングであり、または、前記ＤＣＩシグナリングはユーザ設備専用（ＵＥ  ｓｐｅｃｉｆｉｃ）のＤＣＩシグナリングである、
ことを特徴とする請求項７に記載の方法。
【請求項９】
タイムスロットフォーマット指示方法であって、
基地局が送信するタイムスロットフォーマット指示情報を受信することを含み、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記タイムスロットフォーマット指示情報は、前記基地局が、ターゲットチャネルがアイドル状態にあることをリッスンした場合に送信するものであり、前記チャネル占有期間は基地局が前記ターゲットチャネルを占有する期間であり、前記ターゲットチャネルは未許可周波数スペクトルに位置する、
ことを特徴とするタイムスロットフォーマット指示方法。
【請求項１０】
前記基地局が送信するマッピング関係に関連付けられている指示情報を受信することを更に含み、
前記マッピング関係はタイムスロットフォーマット指示情報とタイムスロットフォーマット組み合わせとのマッピング関係である、
ことを特徴とする請求項９に記載の方法。
【請求項１１】
前記タイムスロットフォーマット組み合わせはタイムスロットフォーマットテーブルにおける複数のフォーマット識別子を含み、前記タイムスロットフォーマットテーブルには、前記フォーマット識別子とアップリンク・ダウンリンクフォーマットシーケンスとの対応関係が記憶され、前記アップリンク・ダウンリンクフォーマットシーケンスはＬ個のシンボルのアップリンク・ダウンリンクフォーマットを含み、前記Ｌは１４以下の正の整数である、
ことを特徴とする請求項１０に記載の方法。
【請求項１２】
前記基地局が送信するマッピング関に関連付けられている指示情報係を受信することは、
前記基地局が送信する、前記マッピング関係に関連付けられている指示情報が運ばれている無線リソース制御（ＲＲＣ）シグナリングを受信することを含む、
ことを特徴とする請求項１０に記載の方法。
【請求項１３】
前記Ｎは前記チャネル占有期間とサブキャリア間隔との少なくとも１方に基づいて決定される、
ことを特徴とする請求項９に記載の方法。
【請求項１４】
前記基地局が送信するタイムスロットフォーマット指示情報を受信することは、
前記基地局が送信する、前記スロットフォーマット指示情報が運ばれているダウンリンク制御情報（ＤＣＩ）シグナリングを受信することを含む、
ことを特徴とする請求項９から１３のいずれか１項に記載の方法。
【請求項１５】
前記ＤＣＩシグナリングはグループ共用（ｇｒｏｕｐ  ｃｏｍｍｏｎ）のＤＣＩシグナリングであり、または、前記ＤＣＩシグナリングはユーザ設備専用（ＵＥ  ｓｐｅｃｉｆｉｃ）のＤＣＩシグナリングである、
ことを特徴とする請求項１４に記載の方法。
【請求項１６】
タイムスロットフォーマット指示装置であって、
ターゲットチャネルがアイドル状態にあることをリッスンした場合に、ユーザ設備（ＵＥ）にタイムスロットフォーマット指示情報を送信するように構成される送信モジュールを含み、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記チャネル占有期間は基地局が前記ターゲットチャネルを占有する期間であり、前記ターゲットチャネルは未許可周波数スペクトルに位置する、
ことを特徴とするタイムスロットフォーマット指示装置。
【請求項１７】
タイムスロットフォーマット指示装置であって、
基地局が送信するタイムスロットフォーマット指示情報を受信するように構成される受信モジュールを含み、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記タイムスロットフォーマット指示情報は、前記基地局が、ターゲットチャネルがアイドル状態にあることをリッスンした場合に送信するものであり、前記チャネル占有期間は基地局が前記ターゲットチャネルを占有する期間であり、前記ターゲットチャネルは未許可周波数スペクトルに位置する、
ことを特徴とするタイムスロットフォーマット指示装置。
【請求項１８】
プロセッサと、
プロセッサ実行可能な命令を記憶するメモリと、を含み、
前記プロセッサは、
ターゲットチャネルがアイドル状態にあることをリッスンした場合、ユーザ設備（ＵＥ）にタイムスロットフォーマット指示情報を送信するように構成され、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記チャネル占有期間は基地局が前記ターゲットチャネルを占有する期間であり、前記ターゲットチャネルは未許可周波数スペクトルに位置する、
ことを特徴とする基地局。
【請求項１９】
プロセッサと、
プロセッサ実行可能な命令を記憶するメモリと、を含み、
前記プロセッサは、
基地局が送信するタイムスロットフォーマット指示情報を受信するように構成され、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記タイムスロットフォーマット指示情報は、前記基地局が、ターゲットチャネルがアイドル状態にあることをリッスンした場合に送信するものであり、前記チャネル占有期間は基地局が前記ターゲットチャネルを占有する期間であり、前記ターゲットチャネルは未許可周波数スペクトルに位置する、
ことを特徴とするユーザ設備。
【請求項２０】
コンピュータプログラムが記憶されており、記憶されている前記コンピュータプログラムが処理モジュールにより実行される時に、請求項１から８のいずれか１項に記載のタイムスロットフォーマット指示方法を実現することができ、又は、記憶されている前記コンピュータプログラムが処理モジュールにより実行される時に、請求項９から１５のいずれか１項に記載のタイムスロットフォーマット指示方法を実現することができる、
ことを特徴とするコンピュータ読み取り可能な記憶媒体。
【手続補正２】
【補正対象書類名】明細書
【補正対象項目名】００１２
【補正方法】変更
【補正の内容】
【００１２】
本開示の実施例の第８方面によれば、コンピュータ読み取り可能な記憶媒体を提供し、当該コンピュータ読み取り可能な記憶媒体は、コンピュータプログラムが記憶されており、記憶されている前記コンピュータプログラムが処理モジュールにより実行される時に、上記の第１方面のいずれかに記載のタイムスロットフォーマット指示方法を実現することができ、又は、記憶されている前記コンピュータプログラムが処理モジュールにより実行される時に、上記の第２方面のいずれかに記載のタイムスロットフォーマット指示方法を実現することができる。
例えば、本願は以下の項目を提供する。
（項目１）
タイムスロットフォーマット指示方法であって、
ターゲットチャネルがアイドル状態にあることをリッスンした場合に、ユーザ設備（ＵＥ）にタイムスロットフォーマット指示情報を送信することを含み、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記チャネル占有期間は基地局が前記ターゲットチャネルを占有する期間であり、前記ターゲットチャネルは未許可周波数スペクトルに位置する、
ことを特徴とするタイムスロットフォーマット指示方法。
（項目２）
前記ＵＥにマッピング関係を送信することを更に含み、
前記マッピング関係はタイムスロットフォーマット指示情報とタイムスロットフォーマット組み合わせとの間の関係を指示するように構成され、前記タイムスロットフォーマット組み合わせはＫ個のタイムスロットにおけるシンボルのアップリンク・ダウンリンクフォーマットを含み、前記ＫはＮ以下の正の整数である、
ことを特徴とする項目１に記載の方法。
（項目３）
前記タイムスロットフォーマット組み合わせはタイムスロットフォーマットテーブルにおけるＫ個のフォーマット識別子を含み、前記タイムスロットフォーマットテーブルには、フォーマット識別子とアップリンク・ダウンリンクフォーマットシーケンスとの対応関係が少なくとも１セット記憶され、前記アップリンク・ダウンリンクフォーマットシーケンスはＬ個のシンボルのアップリンク・ダウンリンクフォーマットを含み、前記Ｌは１４以下の正の整数である、
ことを特徴とする項目２に記載の方法。
（項目４）
前記ＵＥにマッピング関係を送信することは、
前記ＵＥに、前記マッピング関係が運ばれている無線リソース制御（ＲＲＣ）シグナリングを送信することを含む、
ことを特徴とする項目２に記載の方法。
（項目５）
前記Ｎは前記チャネル占有期間及びサブキャリア間隔に基づいて決定される、
ことを特徴とする項目１に記載の方法。
（項目６）
前記Ｎ個のタイムスロットにおける第１個のタイムスロット及び最後のタイムスロットは部分タイムスロットであり、
前記方法はさらに、
前記サブキャリア間隔に基づいて各タイムスロットのデュレーションを決定することと、
前記チャネル占有期間のデュレーションを前記タイムスロットのデュレーションで割って得られた商に１を加算して前記Ｎを得ることとを含む、
ことを特徴とする項目５に記載の方法。
（項目７）
前記タイムスロットフォーマット指示情報はＮ個の第１タイムスロットフォーマット指示情報を含み、そのうち、第ｉ番目の第１タイムスロットフォーマット指示情報は前記Ｎ個のタイムスロットにおける第ｉ個乃至第Ｎ個のタイムスロットにおけるシンボルのアップリンク・ダウンリンクフォーマットを指示するように構成され、前記ｉは前記Ｎ以下の正の整数である、
ことを特徴とする項目１に記載の方法。
（項目８）
前記第ｉ番目の第１タイムスロットフォーマット指示情報は第１タイムスロットフォーマット組み合わせを指示するように構成され、前記第１タイムスロットフォーマット組み合わせはＮ−ｉ＋１個のタイムスロットにおけるシンボルのアップリンク・ダウンリンクフォーマットを含む、
ことを特徴とする項目７に記載の方法。
（項目９）
前記第ｉ番目の第１タイムスロットフォーマット指示情報は第１タイムスロットフォーマット指示サブ情報とタイムスロット個数指示情報を含み、前記第１タイムスロットフォーマット指示サブ情報は第２タイムスロットフォーマット組み合わせを指示するように構成され、前記第２タイムスロットフォーマット組み合わせはＮ個のタイムスロットにおけるシンボルのアップリンク・ダウンリンクフォーマットを含み、前記タイムスロット個数指示情報は、前記Ｎ個のタイムスロットにおける第ｉ個乃至第Ｎ個のタイムスロットにおけるシンボルのアップリンク・ダウンリンクフォーマットが前記第２タイムスロットフォーマット組み合わせにおける後のＮ−ｉ＋１個のタイムスロットにおけるシンボルのアップリンク・ダウンリンクフォーマットと同じであることを指示するように構成される、
ことを特徴とする項目７に記載の方法。
（項目１０）
前記タイムスロットフォーマット指示情報は、Ｍ個の第２タイムスロットフォーマット指示情報を含み、そのうち、第ｊ番目の第２タイムスロットフォーマット指示情報は第ｊ番目の周期内のＰ個のタイムスロットにおけるシンボルのアップリンク・ダウンリンクフォーマットを指示するように構成され、前記ｊは前記Ｍ以下の正の整数であり、且つ前記Ｍに前記Ｐを乗算して得られた乗算値は前記Ｎ以下である、
ことを特徴とする項目１に記載の方法。
（項目１１）
前記第２タイムスロットフォーマット指示情報は第３タイムスロットフォーマット組み合わせを指示するように構成され、前記第３タイムスロットフォーマット組み合わせはＰ個のタイムスロットにおけるシンボルのアップリンク・ダウンリンクフォーマットを含む、
ことを特徴とする項目１に記載の方法。
（項目１２）
前記Ｎは予め設定された閾値より大きく、
前記タイムスロットフォーマット指示情報は少なくとも２個の第３タイムスロットフォーマット指示情報を含み、前記第３タイムスロットフォーマット指示情報は前記チャネル占有期間の一つのセグメント期間内のＱ個のタイムスロットにおけるシンボルのアップリンク・ダウンリンクフォーマットを指示するように構成され、前記Ｑは前記予め設定された閾値以下の正の整数である、
ことを特徴とする項目１に記載の方法。
（項目１３）
前記ユーザ設備ＵＥにタイムスロットフォーマット指示情報を送信することは、
前記ＵＥに、前記スロットフォーマット指示情報が運ばれているダウンリンク制御情報（ＤＣＩ）シグナリングを送信することを含む、
ことを特徴とする項目１から１２のいずれか１項に記載の方法。
（項目１４）
前記ＤＣＩシグナリングはグループ共用（ｇｒｏｕｐ  ｃｏｍｍｏｎ）のＤＣＩシグナリングであり、または、前記ＤＣＩシグナリングはユーザ設備専用（ＵＥ  ｓｐｅｃｉｆｉｃ）のＤＣＩシグナリングである、
ことを特徴とする項目１３に記載の方法。
（項目１５）
タイムスロットフォーマット指示方法であって、
基地局が送信するタイムスロットフォーマット指示情報を受信することを含み、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記タイムスロットフォーマット指示情報は、前記基地局が、ターゲットチャネルがアイドル状態にあることをリッスンした場合に送信するものであり、前記チャネル占有期間は基地局が前記ターゲットチャネルを占有する期間であり、前記ターゲットチャネルは未許可周波数スペクトルに位置する、
ことを特徴とするタイムスロットフォーマット指示方法。
（項目１６）
前記基地局が送信するマッピング関係を受信することを更に含み、
前記マッピング関係はタイムスロットフォーマット指示情報とタイムスロットフォーマット組み合わせとの間の関係を指示するように構成され、前記タイムスロットフォーマット組み合わせはＫ個のタイムスロットにおけるシンボルのアップリンク・ダウンリンクフォーマットを含み、前記ＫはＮ以下の正の整数である、
ことを特徴とする項目１５に記載の方法。
（項目１７）
前記タイムスロットフォーマット組み合わせはタイムスロットフォーマットテーブルにおけるＫ個のフォーマット識別子を含み、前記タイムスロットフォーマットテーブルには、フォーマット識別子とアップリンク・ダウンリンクフォーマットシーケンスとの対応関係が少なくとも１セット記憶され、前記アップリンク・ダウンリンクフォーマットシーケンスはＬ個のシンボルのアップリンク・ダウンリンクフォーマットを含み、前記Ｌは１４以下の正の整数である、
ことを特徴とする項目１６に記載の方法。
（項目１８）
前記基地局が送信するマッピング関係を受信することは、
前記基地局が送信する、前記マッピング関係が運ばれている無線リソース制御（ＲＲＣ）シグナリングを受信することを含む、
ことを特徴とする項目１６に記載の方法。
（項目１９）
前記Ｎは前記チャネル占有期間及びサブキャリア間隔に基づいて決定される、
ことを特徴とする項目１５に記載の方法。
（項目２０）
前記タイムスロットフォーマット指示情報はＮ個の第１タイムスロットフォーマット指示情報を含み、そのうち、第ｉ番目の第１タイムスロットフォーマット指示情報は前記Ｎ個のタイムスロットにおける第ｉ個乃至第Ｎ個のタイムスロットにおけるシンボルのアップリンク・ダウンリンクフォーマットを指示するように構成され、前記ｉは前記Ｎ以下の正の整数である、
ことを特徴とする項目１５に記載の方法。
（項目２１）
前記第ｉ番目の第１タイムスロットフォーマット指示情報は第１タイムスロットフォーマット組み合わせを指示するように構成され、前記第１タイムスロットフォーマット組み合わせはＮ−ｉ＋１個のタイムスロットにおけるシンボルのアップリンク・ダウンリンクフォーマットを含む、
ことを特徴とする項目２０に記載の方法。
（項目２２）
前記第ｉ番目の第１タイムスロットフォーマット指示情報は第１タイムスロットフォーマット指示サブ情報とタイムスロット個数指示情報を含み、前記第１タイムスロットフォーマット指示サブ情報は第２タイムスロットフォーマット組み合わせを指示するように構成され、前記第２タイムスロットフォーマット組み合わせはＮ個のタイムスロットにおけるシンボルのアップリンク・ダウンリンクフォーマットを含み、前記タイムスロット個数指示情報は、前記Ｎ個のタイムスロットにおける第ｉ個乃至第Ｎ個のタイムスロットにおけるシンボルのアップリンク・ダウンリンクフォーマットが前記第２タイムスロットフォーマット組み合わせにおける後のＮ−ｉ＋１個のタイムスロットにおけるシンボルのアップリンク・ダウンリンクフォーマットと同じであることを指示するように構成される、
ことを特徴とする項目２０に記載の方法。
（項目２３）
前記タイムスロットフォーマット指示情報はＭ個の第２タイムスロットフォーマット指示情報を含み、そのうち、第ｊ番目の第２タイムスロットフォーマット指示情報は第ｊ番目の周期内のＰ個のタイムスロットにおけるシンボルのアップリンク・ダウンリンクフォーマットを指示するように構成され、前記ｊは前記Ｍ以下の正の整数であり、且つ前記Ｍに前記Ｐを乗算して得られた乗算値は前記Ｎ以下である、
ことを特徴とする項目１５に記載の方法。
（項目２４）
前記第２タイムスロットフォーマット指示情報は第３タイムスロットフォーマット組み合わせを指示するように構成され、前記第３タイムスロットフォーマット組み合わせはＰ個のタイムスロットにおけるシンボルのアップリンク・ダウンリンクフォーマットを含む、
ことを特徴とする項目２３に記載の方法。
（項目２５）
前記Ｎは予め設定された閾値より大きく、
前記タイムスロットフォーマット指示情報は少なくとも２個の第３タイムスロットフォーマット指示情報を含み、前記第３タイムスロットフォーマット指示情報は前記チャネル占有期間の一つのセグメント期間内のＱ個のタイムスロットにおけるシンボルのアップリンク・ダウンリンクフォーマットを指示するように構成され、前記Ｑは前記予め設定された閾値以下の正の整数である、
ことを特徴とする項目１５に記載の方法。
（項目２６）
前記基地局が送信するタイムスロットフォーマット指示情報を受信することは、
前記基地局が送信する、前記スロットフォーマット指示情報が運ばれているダウンリンク制御情報（ＤＣＩ）シグナリングを受信することを含む、
ことを特徴とする項目１５から２５のいずれか１項に記載の方法。
（項目２７）
前記ＤＣＩシグナリングはグループ共用（ｇｒｏｕｐ  ｃｏｍｍｏｎ）のＤＣＩシグナリングであり、または、前記ＤＣＩシグナリングはユーザ設備専用（ＵＥ  ｓｐｅｃｉｆｉｃ）のＤＣＩシグナリングである、
ことを特徴とする項目２６に記載の方法。
（項目２８）
タイムスロットフォーマット指示装置であって、
ターゲットチャネルがアイドル状態にあることをリッスンした場合に、ユーザ設備（ＵＥ）にタイムスロットフォーマット指示情報を送信するように構成される送信モジュールを含み、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記チャネル占有期間は基地局が前記ターゲットチャネルを占有する期間であり、前記ターゲットチャネルは未許可周波数スペクトルに位置する、
ことを特徴とするタイムスロットフォーマット指示装置。
（項目２９）
タイムスロットフォーマット指示装置であって、
基地局が送信するタイムスロットフォーマット指示情報を受信するように構成される受信モジュールを含み、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記タイムスロットフォーマット指示情報は、前記基地局が、ターゲットチャネルがアイドル状態にあることをリッスンした場合に送信するものであり、前記チャネル占有期間は基地局が前記ターゲットチャネルを占有する期間であり、前記ターゲットチャネルは未許可周波数スペクトルに位置する、
ことを特徴とするタイムスロットフォーマット指示装置。
（項目３０）
プロセッサと、
プロセッサ実行可能な命令を記憶するメモリと、を含み、
前記プロセッサは、
ターゲットチャネルがアイドル状態にあることをリッスンした場合、ユーザ設備（ＵＥ）にタイムスロットフォーマット指示情報を送信するように構成され、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記チャネル占有期間は基地局が前記ターゲットチャネルを占有する期間であり、前記ターゲットチャネルは未許可周波数スペクトルに位置する、
ことを特徴とする基地局。
（項目３１）
プロセッサと、
プロセッサ実行可能な命令を記憶するメモリと、を含み、
前記プロセッサは、
基地局が送信するタイムスロットフォーマット指示情報を受信するように構成され、
前記タイムスロットフォーマット指示情報はチャネル占有期間内のＮ個のタイムスロットにおけるシンボルのアップリンク・ダウンリンクフォーマットを指示するように構成され、前記Ｎ個のタイムスロットにおける第１個のタイムスロット及び／又は最後のタイムスロットは部分タイムスロットであり、前記Ｎは１以上の正の整数であり、
ここで、前記タイムスロットフォーマット指示情報は、前記基地局が、ターゲットチャネルがアイドル状態にあることをリッスンした場合に送信するものであり、前記チャネル占有期間は基地局が前記ターゲットチャネルを占有する期間であり、前記ターゲットチャネルは未許可周波数スペクトルに位置する、
ことを特徴とするユーザ設備。
（項目３２）
項目２８に記載のスロットフォーマット指示装置及び項目２９に記載のスロットフォーマット指示装置を含み、又は、
項目３０に記載の基地局及び項目３１に記載のユーザ設備を含む、
ことを特徴とするスロットフォーマット指示システム。
（項目３３）
コンピュータプログラムが記憶されており、記憶されている前記コンピュータプログラムが処理モジュールにより実行される時に、項目１から１４のいずれか１項に記載のタイムスロットフォーマット指示方法を実現することができ、又は、記憶されている前記コンピュータプログラムが処理モジュールにより実行される時に、項目１５から２７のいずれか１項に記載のタイムスロットフォーマット指示方法を実現することができる、
ことを特徴とするコンピュータ読み取り可能な記憶媒体。
【国際調査報告】
2021533687.tif 000016
2021533687.tif 000017
2021533687.tif 000018
2021533687.tif 000019
2021533687.tif 000020